(57)【要約】【課題】扇風機を利用して空気に含まれる臭気成分やたばこ臭、ノネナール臭を取り除くことができ扇風機用脱臭具を提供する。【解決手段】扇風機用脱臭具１０Ａは、所定面積の前面１１および後面１２と、内周縁部１３および外周縁部１４と、中央開口１５とを有し、活性炭素繊維化されて空気に含まれる臭いを吸着する複数本の撚糸を密集させた集合物または活性炭素繊維化されて空気に含まれる臭いを吸着する複数本の紡績糸を密集させた集合物１６と、集合物１６を支持する支持フレーム１７と、中央開口１５を除いて集合物１６および支持フレーム１７の全体を包被する通気性の包装シート１８とから形成されている。【選択図】図１
2015128544.tif 000002
【特許請求の範囲】
【請求項１】
所定面積の前面および後面と、内周縁部および外周縁部と、中央開口とを有し、活性炭素繊維化されて空気に含まれる臭いを吸着する複数本の撚糸を密集させた集合物または前記活性炭素繊維化されて空気に含まれる臭いを吸着する複数本の紡績糸を密集させた集合物と、前記集合物を支持する支持フレームと、前記中央開口を除いて前記集合物および前記支持フレームの全体を包被する通気性の包装シートとから形成され、
前記中央開口が、前記後面を扇風機の羽根の後方に取り付けられた後ガードに対向させた状態で、前記扇風機のモーターケースから前方へ延びる螺子パイプに挿脱可能に挿入され、前記内周縁部が、前記後ガードの内周部と該後ガードを前記モーターケースに固定するガード締付ナットとに挟まれた状態で前記螺子パイプに着脱可能に固定される扇風機用脱臭具。
【請求項２】
前記支持フレームが、前記内周縁部に位置する内周枠と、前記外周縁部に位置する外周枠と、前記内周枠と前記外周枠とに繋がって径方向へ延びる連結枠とを有し、前記脱臭具の前面の側と後面の側とのいずれか一方の側であって前記集合物と前記包装シートとの間に配置されている請求項１に記載の扇風機用脱臭具。
【請求項３】
前記支持フレームが、前記脱臭具の前面の側であって前記集合物と前記包装シートとの間に配置される第１支持フレームと、前記脱臭具の後面の側であって前記集合物と前記包装シートとの間に配置される第２支持フレームとから形成され、前記第１および第２フレームが、前記内周縁部に位置する内周枠と、前記外周縁部に位置する外周枠と、前記内周枠と前記外周枠とに繋がって径方向へ延びる連結枠とを有し、前記集合物が、前記第１および第２支持フレームの間に画成されたスペースに収容されている請求項１に記載の扇風機用脱臭具。
【請求項４】
前記集合物の目付が、２００〜５００ｇ／ｍ２の範囲にあり、前記集合物の面速が、２０〜４０ｃｍ／ｓｅｃの範囲にある請求項１ないし請求項３いずれかに記載の扇風機用脱臭具。
【請求項５】
所定面積の前面および後面と、内周縁部および外周縁部と、中央開口とを有し、前記活性炭素繊維化されて空気に含まれる臭いを吸着する少なくとも１枚の通気性繊維不織布と、前記繊維不織布を支持する支持フレームと、前記中央開口を除いて前記繊維不織布および前記支持フレームの全体を包被する通気性の包装シートとから形成され、
前記中央開口が、前記後面を扇風機の羽根の後方に取り付けられた後ガードに対向させた状態で、前記扇風機のモーターケースから前方へ延びる螺子パイプに挿脱可能に挿入され、前記内周縁部が、前記後ガードの内周部と該後ガードを前記モーターケースに固定するガード締付ナットとに挟まれた状態で前記螺子パイプに着脱可能に固定される扇風機用脱臭具。
【請求項６】
前記支持フレームが、前記内周縁部に位置する内周枠と、前記外周縁部に位置する外周枠と、前記内周枠と前記外周枠とに繋がって径方向へ延びる連結枠とを有し、前記脱臭具の前面の側と後面の側とのいずれか一方の側であって前記繊維不織布と前記包装シートとの間に配置されている請求項５に記載の扇風機用脱臭具。
【請求項７】
前記支持フレームが、前記脱臭具の前面の側であって前記繊維不織布と前記包装シートとの間に配置される第１支持フレームと、前記脱臭具の後面の側であって前記繊維不織布と前記包装シートとの間に配置される第２支持フレームとから形成され、前記第１および第２フレームが、前記内周縁部に位置する内周枠と、前記外周縁部に位置する外周枠と、前記内周枠と前記外周枠とに繋がって径方向へ延びる連結枠とを有し、前記繊維不織布が、前記第１および第２支持フレームの間に画成されたスペースに収容されている請求項５に記載の扇風機用脱臭具。
【請求項８】
前記繊維不織布の１枚の目付が、１００〜１５０ｇ／ｍ２の範囲、前記繊維不織布の１枚の厚みが、１〜５ｍｍの範囲にあり、前記繊維不織布の１枚の面速が、１０〜３０ｃｍ／ｓｅｃの範囲にある請求項５ないし請求項７いずれかに記載の扇風機用脱臭具。
【請求項９】
前記包装シートが、所定のメッシュ数を有するネットまたは微細な不純物を捕集するフィルタから作られている請求項１ないし請求項８いずれかに記載の扇風機用脱臭具。
【請求項１０】
前記包装シートが、所定のメッシュ数を有して前記前面と前記後面とのうちのいずれか一方を形成するネットと、前記前面と前記後面とのうちのいずれか他方を形成して微細な不純物の捕集するフィルタとから作られている請求項１ないし請求項８いずれかに記載の扇風機用脱臭具。
【請求項１１】
前記扇風機用脱臭具では、それが前記扇風機に取り付けられたときに、該脱臭具の外周縁が前記扇風機の羽根の径方向の寸法を二分する二分線近傍に位置する請求項１ないし請求項１０いずれかに記載の扇風機用脱臭具。
【請求項１２】
モーターを収容したモーターケースと、前記モーターから延びる回転軸に着脱可能に設置された羽根と、前記羽根の前方に位置する前ガードと、前記羽根の後方に位置する後ガードとを有し、所定風量の空気を前記前ガードの前方へ送風する扇風機において、
前記扇風機が、所定面積の前面および後面と内周縁部および外周縁部と中央開口とを有する脱臭具を含み、前記脱臭具が、前記活性炭素繊維化されて空気に含まれる臭いを吸着する複数本の撚糸を密集させた集合物または前記活性炭素繊維化されて空気に含まれる臭いを吸着する複数本の紡績糸を密集させた集合物と、前記集合物を支持する支持フレームと、前記中央開口を除いて前記集合物および前記支持フレームの全体を包被する通気性の包装シートとから形成され、
前記扇風機では、前記脱臭具の後面を前記後ガードに対向させた状態で、前記脱臭具の中央開口が該扇風機のモーターケースから前方へ延びる螺子パイプに挿脱可能に挿入され、前記内周縁部が前記後ガードの内周部と該後ガードを前記モーターケースに固定するガード締付ナットとに挟まれた状態で該螺子パイプに着脱可能に固定され、前記脱臭具が前記羽根と前記後ガードとの間に取り付けられている扇風機。
【請求項１３】
前記支持フレームが、前記内周縁部に位置する内周枠と、前記外周縁部に位置する外周枠と、前記内周枠と前記外周枠とに繋がって径方向へ延びる連結枠とを有し、前記脱臭具の前面の側と後面の側とのいずれか一方の側であって前記集合物と前記包装シートとの間に配置されている請求項１２に記載の扇風機。
【請求項１４】
前記支持フレームが、前記脱臭具の前面の側であって前記集合物と前記包装シートとの間に配置される第１支持フレームと、前記脱臭具の後面の側であって前記集合物と前記包装シートとの間に配置される第２支持フレームとから形成され、前記第１および第２フレームが、前記内周縁部に位置する内周枠と、前記外周縁部に位置する外周枠と、前記内周枠と前記外周枠とに繋がって径方向へ延びる連結枠とを有し、前記集合物が、前記第１および第２支持フレームの間に画成されたスペースに収容されている請求項１２に記載の扇風機。
【請求項１５】
前記集合物の目付が、２００〜５００ｇ／ｍ２の範囲にあり、前記集合物の面速が、１０〜３０ｃｍ／ｓｅｃの範囲にある請求項１２ないし請求項１４いずれかに記載の扇風機。
【請求項１６】
モーターを収容したモーターケースと、前記モーターから延びる回転軸に着脱可能に設置された羽根と、前記羽根の前方に位置する前ガードと、前記羽根の後方に位置する後ガードとを有し、所定風量の空気を前記前ガードの前方へ送風する扇風機において、
前記扇風機が、所定面積の前面および後面と内周縁部および外周縁部と中央開口とを有する脱臭具を含み、前記脱臭具が、前記活性炭素繊維化されて空気に含まれる臭いを吸着する少なくとも１枚の通気性繊維不織布と、前記繊維不織布を支持する支持フレームと、前記中央開口を除いて前記繊維不織布および前記支持フレームの全体を包被する通気性の包装シートとから形成され、
前記扇風機では、前記脱臭具の後面を前記後ガードに対向させた状態で、前記脱臭具の中央開口が該扇風機のモーターケースから前方へ延びる螺子パイプに挿脱可能に挿入され、前記内周縁部が前記後ガードの内周部と該後ガードを前記モーターケースに固定するガード締付ナットとに挟まれた状態で該螺子パイプに着脱可能に固定され、前記脱臭具が前記羽根と前記後ガードとの間に取り付けられている扇風機。
【請求項１７】
前記支持フレームが、前記内周縁部に位置する内周枠と、前記外周縁部に位置する外周枠と、前記内周枠と前記外周枠とに繋がって径方向へ延びる連結枠とを有し、前記脱臭具の前面の側と後面の側とのいずれか一方の側であって前記繊維不織布と前記包装シートとの間に配置されている請求項１６に記載の扇風機。
【請求項１８】
前記支持フレームが、前記脱臭具の前面の側であって前記繊維不織布と前記包装シートとの間に配置される第１支持フレームと、前記脱臭具の後面の側であって前記繊維不織布と前記包装シートとの間に配置される第２支持フレームとから形成され、前記第１および第２フレームが、前記内周縁部に位置する内周枠と、前記外周縁部に位置する外周枠と、前記内周枠と前記外周枠とに繋がって径方向へ延びる連結枠とを有し、前記繊維不織布が、前記第１および第２支持フレームの間に画成されたスペースに収容されている請求項１６に記載の扇風機。
【請求項１９】
前記繊維不織布の１枚の目付が、１００〜１５０ｇ／ｍ２の範囲、前記繊維不織布の１枚の厚みが、１〜５ｍｍの範囲にあり、前記繊維不織布の１枚の面速が、２０〜４０ｃｍ／ｓｅｃの範囲にある請求項１６ないし請求項１８いずれかに記載の扇風機。
【請求項２０】
前記包装シートが、所定のメッシュ数を有するネットまたは微細な不純物を捕集するフィルタから作られている請求項１６ないし請求項１９いずれかに記載の扇風機。
【請求項２１】
前記包装シートが、所定のメッシュ数を有して前記前面と前記後面とのうちのいずれか一方を形成するネットと、前記前面と前記後面とのうちのいずれか他方を形成して微細な不純物の捕集するフィルタとから作られている請求項１６ないし請求項１９いずれかに記載の扇風機。
【請求項２２】
前記扇風機では、それに前記脱臭具を取り付けたときに、該脱臭具の外周縁が前記羽根の径方向の寸法を二分する二分線近傍に位置する請求項１６ないし請求項２１いずれかに記載の扇風機。
【発明の詳細な説明】
【技術分野】
【０００１】
本発明は、扇風機から送風される空気に含まれる臭気を取り除く扇風機用脱臭具およびその脱臭具が取り付けられた扇風機に関する。
【背景技術】
【０００２】
扇風機の回転羽根をガードする後ガードの背面を外方から被覆可能な環状のフィルタ材と、そのフィルタ材を展開状態で保持する環状の枠形状を有したフレームと、そのフレームを羽根ガードに係止する係止部材とを備え、フィルタ材が周方向に向かって複数の部分フィルタ材に分割され、フレームが周方向に向かって複数の部分フレームに分割された扇風機用フィルタが開示されている（特許文献１参照）。この扇風機用フィルタは、扇風機に容易に着脱することができ、フィルタのうちの破損した部分フィルタ材や汚れた部分フィルタ材のみを交換することができる。
【先行技術文献】
【特許文献】
【０００３】
【特許文献１】特開２００５−２４０６９７号公報
【発明の概要】
【発明が解決しようとする課題】
【０００４】
前記特許文献１に開示の扇風機用フィルタは、扇風機を通過する空気に含まれる塵埃を取り除くことはできるが、空気に含まれる臭気成分やたばこ臭、ノネナール臭を取り除くことはできない。なお、空気に含まれる臭気成分には、アンモニア、トリメチルアミンやトリエチルアミン、トリアルアミン等の窒素含有化合物を主成分とした塩基性臭気成分、硫化水素や硫化メチル、二硫化メチル、メチルメルカプタン等の硫黄含有化合物、ホルムアルデヒドやアセトアルデヒド、ブチルアルデヒド、バレルアルデヒド、プロピオンアルデヒド等のアルデヒド類を主成分とした中性臭気成分、ギ酸や酢酸、プロピオン酸、吉草酸等の低級脂肪酸類を主成分とした酸性臭気成分、トルエンやキシレン、ブタノール、メチルイソブチルケトンが含まれる。
【０００５】
本発明の目的は、扇風機を利用して空気に含まれる臭気成分やたばこ臭、ノネナール臭を取り除くことができ、扇風機による送風と同時に清浄な空気を送気することができる扇風機用脱臭具を提供することにある。本発明の他の目的は、空気に含まれる臭気成分やたばこ臭、ノネナール臭を取り除くことができる脱臭具を取り付けた扇風機を提供することにある。
【課題を解決するための手段】
【０００６】
本発明にかかる扇風機用脱臭具の第１の特徴は、所定面積の前面および後面と、内周縁部および外周縁部と、中央開口とを有し、活性炭素繊維化されて空気に含まれる臭いを吸着する複数本の撚糸を密集させた集合物または活性炭素繊維化されて空気に含まれる臭いを吸着する複数本の紡績糸を密集させた集合物と、集合物を支持する支持フレームと、中央開口を除いて集合物および支持フレームの全体を包被する通気性の包装シートとから形成され、中央開口が、後面を扇風機の羽根の後方に取り付けられた後ガードに対向させた状態で、扇風機のモーターケースから前方へ延びる螺子パイプに挿脱可能に挿入され、内周縁部が、後ガードの内周部と後ガードをモーターケースに固定するガード締付ナットとに挟まれた状態で螺子パイプに着脱可能に固定されることにある。
【０００７】
前記第１の特徴を有する扇風機用脱臭具の一例としては、支持フレームが、内周縁部に位置する内周枠と、外周縁部に位置する外周枠と、内周枠と外周枠とに繋がって径方向へ延びる連結枠とを有し、脱臭具の前面の側と後面の側とのいずれか一方の側であって集合物と包装シートとの間に配置されている。
【０００８】
前記第１の特徴を有する扇風機用脱臭具の他の一例としては、支持フレームが、脱臭具の前面の側であって集合物と包装シートとの間に配置される第１支持フレームと、脱臭具の後面の側であって集合物と包装シートとの間に配置される第２支持フレームとから形成され、第１および第２フレームが、内周縁部に位置する内周枠と、外周縁部に位置する外周枠と、内周枠と外周枠とに繋がって径方向へ延びる連結枠とを有し、集合物が、第１および第２支持フレームの間に画成されたスペースに収容されている。
【０００９】
前記第１の特徴を有する扇風機用脱臭具の他の一例としては、集合物の目付が２００〜５００ｇ／ｍ２の範囲にあり、集合物の面速が２０〜４０ｃｍ／ｓｅｃの範囲にある。
【００１０】
本発明にかかる扇風機用脱臭具の第２の特徴は、所定面積の前面および後面と、内周縁部および外周縁部と、中央開口とを有し、活性炭素繊維化されて空気に含まれる臭いを吸着する少なくとも１枚の通気性繊維不織布と、繊維不織布を支持する支持フレームと、中央開口を除いて繊維不織布および支持フレームの全体を包被する通気性の包装シートとから形成され、中央開口が、後面を扇風機の羽根の後方に取り付けられた後ガードに対向させた状態で、扇風機のモーターケースから前方へ延びる螺子パイプに挿脱可能に挿入され、内周縁部が、後ガードの内周部と後ガードをモーターケースに固定するガード締付ナットとに挟まれた状態で螺子パイプに着脱可能に固定されることにある。
【００１１】
前記第２の特徴を有する扇風機用脱臭具の一例としては、支持フレームが、内周縁部に位置する内周枠と、外周縁部に位置する外周枠と、内周枠と外周枠とに繋がって径方向へ延びる連結枠とを有し、脱臭具の前面の側と後面の側とのいずれか一方の側であって繊維不織布と包装シートとの間に配置されている。
【００１２】
前記第２の特徴を有する扇風機用脱臭具の他の一例としては、支持フレームが、脱臭具の前面の側であって繊維不織布と包装シートとの間に配置される第１支持フレームと、脱臭具の後面の側であって繊維不織布と包装シートとの間に配置される第２支持フレームとから形成され、第１および第２フレームが、内周縁部に位置する内周枠と、外周縁部に位置する外周枠と、内周枠と外周枠とに繋がって径方向へ延びる連結枠とを有し、繊維不織布が、第１および第２支持フレームの間に画成されたスペースに収容されている。
【００１３】
前記第２の特徴を有する扇風機用脱臭具の他の一例としては、繊維不織布の１枚の目付が１００〜１５０ｇ／ｍ２の範囲、繊維不織布の１枚の厚みが１〜５ｍｍの範囲にあり、繊維不織布の１枚の面速が１０〜３０ｃｍ／ｓｅｃの範囲にある。
【００１４】
前記第１および第２の特徴を有する扇風機用脱臭具の一例としては、包装シートが、所定のメッシュ数を有するネットまたは微細な不純物を捕集するフィルタから作られている。
【００１５】
前記第１および第２の特徴を有する扇風機用脱臭具の他の一例としては、包装シートが所定のメッシュ数を有して前面と後面とのうちのいずれか一方を形成するネットと、前面と後面とのうちのいずれか他方を形成して微細な不純物の捕集するフィルタとから作られている。
【００１６】
前記第１および第２の特徴を有する扇風機用脱臭具の他の一例として、扇風機用脱臭具では、それが扇風機に取り付けられたときに、脱臭具の外周縁が扇風機の羽根の径方向の寸法を二分する二分線近傍に位置する。
【００１７】
本発明にかかる扇風機の第１の特徴は、所定面積の前面および後面と内周縁部および外周縁部と中央開口とを有する脱臭具を含み、脱臭具が、活性炭素繊維化されて空気に含まれる臭いを吸着する複数本の撚糸を密集させた集合物または活性炭素繊維化されて空気に含まれる臭いを吸着する複数本の紡績糸を密集させた集合物と、集合物を支持する支持フレームと、中央開口を除いて集合物および支持フレームの全体を包被する通気性の包装シートとから形成され、扇風機では、脱臭具の後面を後ガードに対向させた状態で、脱臭具の中央開口が扇風機のモーターケースから前方へ延びる螺子パイプに挿脱可能に挿入され、脱臭具の内周縁部がガードの内周部と後ガードをモーターケースに固定するガード締付ナットとに挟まれた状態で螺子パイプに着脱可能に固定され、脱臭具が羽根と後ガードとの間に取り付けられていることにある。
【００１８】
前記第１の特徴を有する扇風機の一例としては、支持フレームが、内周縁部に位置する内周枠と、外周縁部に位置する外周枠と、内周枠と外周枠とに繋がって径方向へ延びる連結枠とを有し、脱臭具の前面の側と後面の側とのいずれか一方の側であって集合物と包装シートとの間に配置されている。
【００１９】
前記第１の特徴を有する扇風機の他の一例としては、支持フレームが、脱臭具の前面の側であって集合物と包装シートとの間に配置される第１支持フレームと、脱臭具の後面の側であって集合物と包装シートとの間に配置される第２支持フレームとから形成され、第１および第２フレームが、内周縁部に位置する内周枠と、外周縁部に位置する外周枠と、内周枠と外周枠とに繋がって径方向へ延びる連結枠とを有し、集合物が、第１および第２支持フレームの間に画成されたスペースに収容されている。
【００２０】
前記第１の特徴を有する扇風機の他の一例としては、集合物の目付が２００〜５００ｇ／ｍ２の範囲にあり、集合物の面速が１０〜３０ｃｍ／ｓｅｃの範囲にある。
【００２１】
本発明にかかる扇風機の第２の特徴は、所定面積の前面および後面と内周縁部および外周縁部と中央開口とを有する脱臭具を含み、脱臭具が、活性炭素繊維化されて空気に含まれる臭いを吸着する少なくとも１枚の通気性繊維不織布と、繊維不織布を支持する支持フレームと、中央開口を除いて繊維不織布および支持フレームの全体を包被する通気性の包装シートとから形成され、扇風機では、脱臭具の後面を後ガードに対向させた状態で、脱臭具の中央開口が扇風機のモーターケースから前方へ延びる螺子パイプに挿脱可能に挿入され、内周縁部が後ガードの内周部と後ガードをモーターケースに固定するガード締付ナットとに挟まれた状態で螺子パイプに着脱可能に固定され、脱臭具が羽根と後ガードとの間に取り付けられていることにある。
【００２２】
前記第２の特徴を有する扇風機の一例としては、支持フレームが、内周縁部に位置する内周枠と、外周縁部に位置する外周枠と、内周枠と外周枠とに繋がって径方向へ延びる連結枠とを有し、脱臭具の前面の側と後面の側とのいずれか一方の側であって繊維不織布と包装シートとの間に配置されている。
【００２３】
前記第２の特徴を有する扇風機の他の一例としては、支持フレームが、脱臭具の前面の側であって繊維不織布と包装シートとの間に配置される第１支持フレームと、脱臭具の後面の側であって繊維不織布と包装シートとの間に配置される第２支持フレームとから形成され、第１および第２フレームが、内周縁部に位置する内周枠と、外周縁部に位置する外周枠と、内周枠と外周枠とに繋がって径方向へ延びる連結枠とを有し、繊維不織布が、第１および第２支持フレームの間に画成されたスペースに収容されている。
【００２４】
前記第２の特徴を有する扇風機の他の一例としては、繊維不織布の１枚の目付が１００〜１５０ｇ／ｍ２の範囲、繊維不織布の１枚の厚みが１〜５ｍｍの範囲にあり、繊維不織布の１枚の面速が、２０〜４０ｃｍ／ｓｅｃの範囲にある。
【００２５】
前記第１および第２の特徴を有する扇風機の一例としては、包装シートが、所定のメッシュ数を有するネットまたは微細な不純物を捕集するフィルタから作られている。
【００２６】
前記第１および第２の特徴を有する扇風機の他の一例としては、包装シートが、所定のメッシュ数を有して前面と後面とのうちのいずれか一方を形成するネットと、前面と後面とのうちのいずれか他方を形成して微細な不純物の捕集するフィルタとから作られている。
【００２７】
前記第１および第２の特徴を有する扇風機の他の一例として、扇風機では、それに脱臭具を取り付けたときに、脱臭具の外周縁が羽根の径方向の寸法を二分する二分線近傍に位置する。
【発明の効果】
【００２８】
第１の特徴を有する扇風機用脱臭具および扇風機によれば、脱臭具が活性炭素繊維化されて空気に含まれる臭いを吸着する複数本の撚糸を密集させた集合物または活性炭素繊維化されて空気に含まれる臭いを吸着する複数本の紡績糸を密集させた集合物を含むから、扇風機に進入した空気が集合物の繊維間隙を通流するときに、空気に含まれる臭気成分やたばこ臭、ノネナール臭を集合物に吸着させることができ、扇風機によって空気に含まれる臭気成分やたばこ臭、ノネナール臭を取り除くことができる。扇風機用脱臭具および扇風機は、空気に含まれる臭気成分やたばこ臭、ノネナール臭が集合物によって除去されるから、それら臭いを除去した清浄な空気を作ることができ、扇風機による送風と同時に無臭かつ清浄な空気を扇風機から送気することができる。扇風機用脱臭具および扇風機は、後ガードから扇風機の羽根に進入する空気の流速が遅く、羽根と後ガードとの間に取り付けられた脱臭具の集合物を空気がゆっくりと通流するから、脱臭具を扇風機の羽根と前ガードとの間に設置する場合と比較し、集合物に対する空気の接触時間を長くすることができ、空気に含まれる臭いを集合物に確実に吸着させることができる。扇風機用脱臭具および扇風機は、扇風機の稼働中に室内の空気が脱臭具の集合物を通流した後、再び扇風機に進入して集合物を通流し、空気が集合物を繰り返し通流（循環）するから、室内の空気が脱臭具によって次第に浄化され、扇風機を長時間稼働させることでその脱臭機能を十分に発揮させることができ、室内の空気に含まれる臭気を確実に取り除くことができる。
【００２９】
支持フレームが内周枠および外周枠と連結枠とを有して脱臭具の前面の側と後面の側とのいずれか一方の側であって集合物と包装シートとの間に配置されている扇風機用脱臭具および扇風機は、集合物が支持フレームや包装シートに支持されるから、脱臭具における集合物の偏りを防ぐことができ、脱臭具の全域に集合物が満遍なく分布し、脱臭具に進入した空気を必ず集合物に通流させることができる。扇風機用脱臭具および扇風機は、空気に含まれる臭気成分やたばこ臭、ノネナール臭が活性炭素繊維化された撚糸を密集させた集合物や活性炭素繊維化された紡績糸を密集させた集合物によって除去されるから、それら臭いを除去した清浄な空気を作ることができ、扇風機による送風と同時に無臭かつ清浄な空気を扇風機から送気することができる。
【００３０】
支持フレームが脱臭具の前面の側に配置される第１支持フレームと脱臭具の後面の側に配置される第２支持フレームとから形成され、集合物が第１および第２支持フレームの間に画成されたスペースに収容されている扇風機用脱臭具および扇風機は、第１および第２支持フレームの間に位置する集合物がそれらフレームは包装シートに支持されるから、脱臭具における集合物の偏りを防ぐことができ、脱臭具の全域に集合物が満遍なく分布し、脱臭具に進入した空気を必ず集合物に通流させることができる。扇風機用脱臭具および扇風機は、空気に含まれる臭気成分やたばこ臭、ノネナール臭が活性炭素繊維化された撚糸を密集させた集合物や活性炭素繊維化された紡績糸を密集させた集合物によって除去されるから、それら臭いを除去した清浄な空気を作ることができ、扇風機による送風と同時に無臭かつ清浄な空気を扇風機から送気することができる。
【００３１】
集合物の目付が２００〜５００ｇ／ｍ２の範囲にあり、集合物の面速が２０〜４０ｃｍ／ｓｅｃの範囲にある扇風機用脱臭具および扇風機は、集合物の目付および面速が前記範囲にあるから、扇風機に進入した空気が集合物の繊維間隙を瞬時に通過することはなく、集合物に空気を十分に接触させることができ、空気に含まれる臭気成分やたばこ臭、ノネナール臭を集合物に十分に吸着させることができる。扇風機用脱臭具および扇風機は、集合物が扇風機の羽根に進入する空気の抵抗になることはなく、扇風機の羽根に空気をスムーズに流入させることができ、集合物によって臭気成分やたばこ臭、ノネナール臭が除去された清浄な空気を扇風機の前方へ円滑に送風することができる。
【００３２】
第２の特徴を有する扇風機用脱臭具および扇風機によれば、脱臭具が活性炭素繊維化されて空気に含まれる臭いを吸着する少なくとも１枚の通気性繊維不織布を含むから、扇風機に進入した空気が繊維不織布の微細な通気孔を通流するときに、空気に含まれる臭気成分やたばこ臭、ノネナール臭を繊維不織布に吸着させることができ、扇風機によって空気に含まれる臭気成分やたばこ臭、ノネナール臭を取り除くことができる。扇風機用脱臭具および扇風機は、空気に含まれる臭気成分やたばこ臭、ノネナール臭が繊維不織布によって除去されるから、それら臭いを除去した清浄な空気を作ることができ、扇風機による送風と同時に無臭かつ清浄な空気を扇風機から送気することができる。扇風機用脱臭具および扇風機は、後ガードから扇風機の羽根に進入する空気の流速が遅く、羽根と後ガードとの間に取り付けられた脱臭具の繊維不織布を空気がゆっくりと通流するから、脱臭具を扇風機の羽根と前ガードとの間に設置する場合と比較し、繊維不織布に対する空気の接触時間を長くすることができ、空気に含まれる臭いを繊維不織布に確実に吸着させることができる。扇風機用脱臭具および扇風機は、扇風機の稼働中に室内の空気が脱臭具の繊維不織布を通流した後、再び扇風機に進入して繊維不織布を通流し、空気が繊維不織布を繰り返し通流（循環）するから、室内の空気が脱臭具によって次第に浄化され、扇風機を長時間稼働させることでその脱臭機能を十分に発揮させることができ、室内の空気に含まれる臭気を確実に取り除くことができる。
【００３３】
支持フレームが内周枠および外周枠と連結枠とを有して脱臭具の前面の側と後面の側とのいずれか一方の側であって繊維不織布と包装シートとの間に配置されている扇風機用脱臭具および扇風機は、繊維不織布が支持フレームや包装シートに支持されるから、脱臭具における繊維不織布の捩れや折れ曲がりを防ぐことができ、扇風機に進入した空気を必ず繊維不織布に通流させることができる。扇風機用脱臭具および扇風機は、空気に含まれる臭気成分やたばこ臭、ノネナール臭が活性炭素繊維化された繊維不織布によって除去されるから、それら臭いを除去した清浄な空気を作ることができ、扇風機による送風と同時に無臭かつ清浄な空気を扇風機から送気することができる。
【００３４】
支持フレームが脱臭具の前面の側に配置される第１支持フレームと脱臭具の後面の側に配置される第２支持フレームとから形成され、繊維不織布が第１および第２支持フレームの間に画成されたスペースに収容されている扇風機用脱臭具および扇風機は、第１および第２支持フレームの間に位置する繊維不織布がそれらフレームや包装シートに支持されるから、脱臭具における繊維不織布の捩れや折れ曲がりを防ぐことができ、扇風機に進入した空気を必ず繊維不織布に通流させることができる。扇風機用脱臭具および扇風機は、空気に含まれる臭気成分やたばこ臭、ノネナール臭が活性炭素繊維化された繊維不織布によって除去されるから、それら臭いを除去した清浄な空気を作ることができ、扇風機による送風と同時に無臭かつ清浄な空気を扇風機から送気することができる。
【００３５】
繊維不織布の１枚の目付が１００〜１５０ｇ／ｍ２の範囲、前記繊維不織布の１枚の厚みが、１〜５ｍｍの範囲にあり、繊維不織布の１枚の面速が１０〜３０ｃｍ／ｓｅｃの範囲にある扇風機用脱臭具および扇風機は、繊維不織布の目付や厚み、面速が前記範囲にあるから、扇風機に進入した空気が繊維不織布の通気孔を瞬時に通過することはなく、繊維不織布に空気を十分に接触させることができ、空気に含まれる臭気成分やたばこ臭、ノネナール臭を繊維不織布に十分に吸着させることができる。扇風機用脱臭具および扇風機は、繊維不織布が扇風機の羽根に進入する空気の抵抗になることはなく、扇風機の羽根に空気をスムーズに流入させることができ、繊維不織布によって臭気成分やたばこ臭、ノネナール臭が除去された清浄な空気を扇風機の前方へ円滑に送風することができる。
【００３６】
包装シートが所定のメッシュ数を有するネットまたは微細な不純物の捕集するフィルタから作られている扇風機用脱臭具および扇風機は、包装シートがネットから作られている場合、扇風機に進入した空気がネットを通過し、空気がネットに支持された集合物や繊維不織布を通流するから、空気に含まれる臭気成分やたばこ臭、ノネナール臭を活性炭素繊維化された撚糸を密集させた集合物または活性炭素繊維化された紡績糸を密集させた集合物や活性炭素繊維化された繊維不織布に吸着させることができ、扇風機を通過する空気に含まれる臭気成分やたばこ臭、ノネナール臭を取り除くことができる。包装シートがフィルタから作られている場合、空気がフィルタを通流するときに空気に含まれる微細な塵埃や花粉、ＰＭ２．５等の不純物がフィルタに捕集され、空気に含まれる臭気とともにそれらの不純物を除去した清浄な空気を扇風機から送気することができる。さらに、不純物が撚糸や紡績糸に付着することがないから、不純物が撚糸や紡績糸に付着することによる集合物や繊維不織布の脱臭機能の低下を防ぐことができ、空気に含まれる臭気を集合物や繊維不織布に確実に吸着させることができる。
【００３７】
包装シートが所定のメッシュ数を有して前面および後面のいずれか一方を形成するネットと前面および後面のいずれか他方を形成して微細な不純物の捕集するフィルタとから作られている扇風機用脱臭具および扇風機は、ネットが前面を形成しつつフィルタが後面を形成する場合、空気に含まれる微細な塵埃や花粉、ＰＭ２．５等の不純物がフィルタに捕集され、空気に含まれる臭気とともにそれらの不純物を除去した清浄な空気を扇風機から送気することができるとともに、それらの不純物が付着することによる集合物や繊維不織布の脱臭機能の低下を防ぐことができ、空気に含まれる臭気を集合物に確実に吸着させることができる。フィルタが前面を形成しつつネットが後面を形成する場合、ネットを通過した空気が集合物や繊維不織布を通流するから、空気に含まれる臭気成分やたばこ臭、ノネナール臭を集合物や繊維不織布に吸着させることができ、扇風機を通過する空気に含まれる臭気成分やたばこ臭、ノネナール臭を取り除くことができる。また、臭気が除去された空気に含まれる微細な塵埃や花粉、ＰＭ２．５等の不純物がフィルタに捕集され、空気に含まれる臭気とともにそれらの不純物を除去した清浄な空気を扇風機から送気することができる。
【００３８】
脱臭具が扇風機に取り付けられたときに、脱臭具の外周縁が扇風機の羽根の径方向の寸法を二分する二分線近傍に位置する扇風機用脱臭具および扇風機は、扇風機の羽根の中心域よりも羽根の外周域において空気の流速が速くなるが、扇風機の羽根の略半分が脱臭具の径方向外方に露出するから、脱臭具が扇風機の羽根に進入する空気の抵抗になることはなく、扇風機の羽根に空気をスムーズに流入させることができ、活性炭素繊維化された撚糸を密集させた集合物または活性炭素繊維化された紡績糸を密集させた集合物や活性炭素繊維化された繊維不織布によって臭気成分やたばこ臭、ノネナール臭が除去された清浄な空気を扇風機の前方へ円滑に送風することができる。扇風機用脱臭具は、扇風機の羽根の略半分に流入する空気を集合物や繊維不織布に通流させることができるとともに、扇風機から送風される空気の略すべてを浄化することができ、集合物や繊維不織布によって臭気成分やたばこ臭、ノネナール臭が除去された清浄な空気を扇風機の前方へ送風することができる。
【図面の簡単な説明】
【００３９】
【図１】一例として示す扇風機用脱臭具の部分破断斜視図。
【図２】扇風機用脱臭具を形成する第１集合物または第２集合物の斜視図。
【図３】扇風機用脱臭具の正面図。
【図４】扇風機用脱臭具の背面図。
【図５】図３のＡ−Ａ線矢視断面図。
【図６】扇風機用脱臭具を扇風機に取り付ける手順を説明する図。
【図７】扇風機用脱臭具を取り付けた扇風機の正面図。
【図８】扇風機用脱臭具を取り付けた扇風機の背面斜視図。
【図９】他の一例として示す扇風機用脱臭具の背面図。
【図１０】図９のＢ−Ｂ線矢視断面図。
【図１１】他の一例として示す扇風機用脱臭具の正面図。
【図１２】図１１のＣ−Ｃ線矢視断面図。
【図１３】他の一例として示す扇風機用脱臭具の背面図。
【図１４】図１３のＤ−Ｄ線矢視断面図。
【図１５】他の一例として示す扇風機用脱臭具の背面図。
【図１６】図１５のＥ−Ｅ線矢視断面図。
【図１７】他の一例として示す扇風機用脱臭具の断面図。
【図１８】他の一例として示す扇風機用脱臭具の部分破断斜視図。
【図１９】脱臭具を形成する繊維不織布の正面図。
【図２０】図１８のＦ−Ｆ線矢視断面図。
【図２１】他の一例として示す扇風機用脱臭具の断面図。
【図２２】他の一例として示す扇風機用脱臭具の断面図。
【図２３】他の一例として示す扇風機用脱臭具の断面図。
【図２４】他の一例として示す扇風機用脱臭具の断面図。
【図２５】他の一例として示す扇風機用脱臭具の断面図。
【図２６】扇風機用脱臭フィルタの脱臭機能の測定手順を説明する図。
【図２７】図３３から続く扇風機用脱臭フィルタの脱臭機能の測定手順を説明する図。
【図２８】アンモニアに対する測定結果を示す図。
【図２９】トリメチルアミンに対する測定結果を示す図。
【図３０】メチルメルカプタンに対する測定結果を示す図。
【図３１】硫化水素に対する測定結果を示す図。
【図３２】酢酸に対する測定結果を示す図。
【図３３】アセトアルデヒドに対する測定結果を示す図。
【発明を実施するための形態】
【００４０】
一例として示す扇風機用脱臭具１０Ａの部分破断斜視図である図１等の添付の図面を参照し、本発明にかかる扇風機用脱臭具および脱臭具を取り付けた扇風機の詳細を説明すると、以下のとおりである。なお、図２は、扇風機用脱臭具１０Ａを形成する集合物１６の斜視図であり、図３は、扇風機用脱臭具１０Ａの正面図である。図４は、扇風機用脱臭具１０Ａの背面図であり、図５は、図３のＡ−Ａ線矢視断面図である。図１，３では、径方向を矢印Ｘ、厚み方向を矢印Ｙ（図１のみ）で示し、周り方向を矢印Ｚで示す。
【００４１】
扇風機用脱臭具１０Ａは、扇風機２５の羽根３１と後ガード３３との間であってガード３３の直前（図６〜図８参照）に着脱可能に取り付けられ、扇風機２５を通過する空気に含まれる臭い（臭気成分、たばこ臭、ノネナール臭）の除去に好適に使用される。脱臭具１０Ａは、所定面積を有する環状の前面１１および所定面積を有する環状の後面１２と、内周縁部１３および外周縁部１４と、内周縁部１３に囲繞された円形の中央開口１５とを有する。脱臭具１０Ａは、集合物１６と支持フレーム１７と通気性の包装シート１８とから形成されている。なお、脱臭具１０Ａ（後記する脱臭具１０Ｂ〜１０Ｌを含む）の平面形状を環状に限定するものではなく、中央開口１５を備えた四角形や楕円形等の他の形状にすることができる。
【００４２】
集合物１６は、活性炭素繊維化された複数本の撚糸１９を密集させた撚糸１９の集合物、または、活性炭素繊維化された複数本の紡績糸２１を密集させた紡績糸２１の集合物であり、所定の厚みを有するとともに、可撓性および柔軟性を有する。集合物１６を形成する撚糸１９や紡績糸２１は、既存の方法によって前駆体撚糸や前駆体紡績糸を製造し、その前駆体撚糸や前駆体紡績糸を炭化・賦活することで作られている。なお、活性炭素繊維化された撚糸１９または紡績糸２１を密集させて集合物を作る場合、前駆体撚糸または前駆体紡績糸を密集させて集合物を作った後、その集合物を活性炭素繊維化する場合がある。
【００４３】
活性炭素繊維は、高い比表面積（１０００〜１８００ｍ２／ｇ）を有するとともに、孔径が１０〜１００Åと極めて小さい細孔を有し、外表面積が大きく臭いの吸着速度が速い。ゆえに、それら撚糸１９やそれら紡績糸２１は、空気に含まれる臭気成分やたばこ臭、ノネナール臭を効率よく吸着する。集合物１６には、複数の繊維間隙が形成され、それら繊維間隙によって径方向や厚み方向、周り方向へ不規則に曲折して延びる複数の空気流路２０が作られている（図２参照）。
【００４４】
集合物１６は、その目付が２００〜５００ｇ／ｍ２の範囲、好ましくは３００〜５００ｇ／ｍ２の範囲にあり、その面速が２０〜４０ｃｍ／ｓｅｃの範囲、好ましくは２０〜２５ｃｍ／ｓｅｃの範囲にある。集合物１６の目付が５００ｇ／ｍ２を超過するとともに面速が２０ｃｍ／ｓｅｃ未満では、脱臭具１０Ａが扇風機２５の羽根３１に進入する空気の抵抗になる場合があり、羽根３１に空気をスムーズに流入させることができない場合がある。集合物１６の目付が２００ｇ／ｍ２未満であって面速が４０ｃｍ／ｓｅｃを超過すると、扇風機２５に進入した空気が集合物１６の空気流路２０を素早く通過し、空気を集合物１６に十分に接触させることができず、空気に含まれる臭気成分やたばこ臭、ノネナール臭を集合物１６に十分に吸着させることができない。
【００４５】
支持フレーム１７は、プラスチック板や金属板から作られ、脱臭具１０Ａの内周縁部１３に位置して周り方向へ環状に延びる内周枠２２と、脱臭具１０Ａの外周縁部１４に位置して周り方向へ環状に延びる外周枠２３と、内周枠２２と外周枠２３とに繋がって径方向へ直状に延びる連結枠２４とを有する。フレーム１７では、内周枠２２と外周枠２３と連結枠２４とが一体成形されている。フレーム１７は、脱臭具１０Ａの前面１１の側であって集合物１６と包装シート１８（ネット１８Ａ）との間に配置されている。集合物１６がフレーム１７に支持された状態で、フレーム１７の全体と集合物１６の全体とが包装シート１８に包被されている。なお、フレーム１７が脱臭具１０Ａの後面１２の側であって集合物１６と包装シート１８との間に配置されている場合がある。
【００４６】
包装シート１８は、複数のメッシュ（網目）を有する通気性のネット１８Ａ（網）から作られている。ネット１８Ａには、メッシュ数が１０メッシュ（１００×１００メッシュ）や１２メッシュ（１２０×１２０メッシュ）、２４メッシュ（２４０×２４０メッシュ）、３２メッシュ（３２０×３２０メッシュ）等を使用することができる。ネット１８Ａは、脱臭具１０Ａの内周縁部１３（支持フレーム１７の内周枠２２）から径方向内方へ延びる部分が熱融着（ソニックシールやヒートシール）または縫製によって固着され、脱臭具１０Ａの外周縁部１４（フレーム１７の外周枠２３）から径方向内方へ延びる部分が熱融着または縫製によって固着されている。ネット１８Ａは、集合物１６およびフレーム１７の全体を包被している。
【００４７】
図６は、扇風機用脱臭具１０Ａを扇風機２５に取り付ける手順を説明する図であり、図７は、扇風機用脱臭具１０Ａを取り付けた扇風機２５の正面図である。図８は、扇風機用脱臭具１０Ａを取り付けた扇風機２５の背面斜視図である。図７では、前ガードの図示を省略している。図６〜図８では、扇風機用脱臭具１０Ａ（脱臭具１０Ｂ〜１０Ｌを含む）を取り付ける扇風機２５としてリビング扇を図示しているが、扇風機には、リビング扇のみならず、壁掛け扇風機、小型扇、ルーバー扇、ボックス扇風機、エアーサーキュレーター、卓上扇風機、クリップ扇風機、工業扇が含まれる。
【００４８】
扇風機２５は、操作部２６を有するスタンド２７と、スタンド２７に伸縮可能に支持されたスライドパイプ２８と、スライドパイプ２８の上方に設置されてモーター（図示せず）を収容したモーターケース２９と、モーターから延びる回転軸３０（モーターシャフト）に着脱可能に設置された羽根３１と、羽根３１の前方に位置する前ガード３２と、羽根３１の後方に位置する後ガード３３とを有する。なお、図示はしていないが、モーターケース２９に首振り摘みが設置され、スタンド２７から電源プラグが延びている。
【００４９】
脱臭具１０Ａを扇風機２５に取り付ける手順は、以下のとおりである。扇風機２５の前ガード３２のクリップ３４を下方へ旋回させて前ガード３２と後ガード３３との係合を解除し、扇風機２５から前ガード３２を取り外すとともに、羽根３１を回転軸３０に固定するスピンナー３５を時計回り方向へ回転させて回転軸３０の先端部の螺子からスピンナー３５を取り外す。次に、回転軸３０の前方へ羽根３１を移動させ、羽根３１の軸孔を回転軸３０から抜き取って羽根３１を回転軸３０から取り外した後、ガード締付ナット３６を反時計回り方向へ回転させ、扇風機２５のモーターケース２９から前方へ延びる螺子パイプ３７とガード締付ナット３６との螺着を解除し、螺子パイプ３７の螺子からガード締付ナット３６を取り外す。
【００５０】
ガード締付ナット３６を螺子パイプ３７から取り外した後、後面１２を後ガード３３に対向させた状態で、中央開口１５を回転軸３０に挿通するとともに、その中央開口１５を螺子パイプ３７に挿入する。なお、中央開口１５の直径は、螺子パイプ３７の直径よりもわずかに大きい。中央開口１５を螺子パイプ３７に挿入すると、脱臭具１０Ａの内周縁部１３が後ガード３３の内周部３８に当接する。
【００５１】
中央開口１５を螺子パイプ３７に挿入した後、螺子パイプ３７の螺子にガード締付ナット３６を当接させ、ガード締付ナット３６を時計回り方向へ回転させ、そのガード締付ナット３６を螺子パイプ３７の螺子に再び螺着する。ガード締付ナット３６を螺子パイプ３７に螺着すると、脱臭具１０Ａの内周縁部１３（支持フレーム１７の内周枠２２）がガード締付ナット３６と後ガード３３の内周部３８とに挟まれ、脱臭具１０Ａが扇風機２５のモーターケース２９に固定される。
【００５２】
次に、羽根３１の軸孔を回転軸３０に挿通し、回転軸３０の先端部の螺子にスピンナー３５を当接させ、スピンナー３５を反時計回り方向へ回転させ、回転軸３０の先端部の螺子にスピンナー３５を再び螺着して羽根３１を回転軸３０に固定し、前ガード３２のガードリング３９と後ガード３３のガードリング４０との位置を合わせ、前ガード３２のクリップ３４を上方へ旋回させて前ガード３２と後ガード３３とを係合させる。脱臭具１０Ａを扇風機２５に取り付けると、脱臭具１０Ａが後ガード３３と羽根３１との間に位置し、脱臭具１０Ａの外周縁部１４が羽根３１の径方向の寸法を二分する二分線４１の近傍に位置する（図７参照）。
【００５３】
扇風機２５に脱臭具１０Ａを取り付けた後、操作部２６のスイッチをＯＮにすると、モーターによって回転軸３０が回転するとともに、羽根３１が回転し、空気が後ガード３３の全域であってガード３３の後方から扇風機２５に進入する。後ガード３３の後方から扇風機２５に進入した空気は、ネット１８Ａを通過し、脱臭具１０Ａの後面１２から集合物１６の空気流路２０に進入し、集合物１６を通流した後、再びネット１８Ａを通過して前ガード３２から扇風機２５の前方へ送風される。
【００５４】
集合物１６が支持フレーム１７やネット１８Ａに支持されるから、脱臭具１０Ａにおける集合物１６の偏りがなく、脱臭具１０Ａの全域に集合物１６が満遍なく分布し、脱臭具１０Ａに進入した空気が必然的に集合物１６を通流する。なお、空気流路２０が径方向や厚み方向、周り方向へ不規則に曲折して延びているから、空気流路２０を通る空気が集合物１６を形成する撚糸１９や紡績糸２１に確実に接触する。
【００５５】
径方向や厚み方向、周り方向へ不規則に曲折して延びる脱臭具１０Ａの空気流路２０に進入した空気は、空気流路２０を形成する集合物１６の撚糸１９や紡績糸２１に接触し、空気に含まれる臭気成分（アンモニア、トリメチルアミンやトリエチルアミン、トリアルアミン等の窒素含有化合物を主成分とした塩基性臭気成分、硫化水素や硫化メチル、二硫化メチル、メチルメルカプタン等の硫黄含有化合物、ホルムアルデヒドやアセトアルデヒド、ブチルアルデヒド、バレルアルデヒド、プロピオンアルデヒド等のアルデヒド類を主成分とした中性臭気成分、ギ酸や酢酸、プロピオン酸、吉草酸等の低級脂肪酸類を主成分とした酸性臭気成分、トルエンやキシレン、ブタノール、メチルイソブチルケトン）やたばこ臭、ノネナール臭が活性炭素繊維化された撚糸１９や紡績糸２１に吸着される。
【００５６】
図９は、他の一例として示す扇風機用脱臭具１０Ｂの背面図であり、図１０は、図９のＢ−Ｂ線矢視断面図である。図９では、径方向を矢印Ｘで示し、周り方向を矢印Ｚで示す。なお、脱臭具１０Ｂの正面図は、図３と同一に表れる。この脱臭具１０Ｂが図１のそれと異なるところは、包装シート１８が前面１１を形成するネット１８Ａと後面１２を形成するフィルタ１８Ｂとから作られている点にあり、その他の構成は図１の脱臭具１０Ａのそれらと同一であるから、図１と同一の符号を付すとともに図１の説明を援用することで、脱臭具１０Ｂにおけるその他の構成の詳細な説明は省略する。
【００５７】
扇風機用脱臭具１０Ｂは、図１のそれと同様に、扇風機２５の羽根３１と後ガード３３との間であってガード３３の直前（図６〜図８参照）に着脱可能に取り付けられ、扇風機２５を通過する空気に含まれる臭い（臭気成分、たばこ臭、ノネナール臭）の除去に好適に使用される。脱臭具１０Ｂは、所定面積を有する環状の前面１１および所定面積を有する環状の後面１２と、内周縁部１３および外周縁部１４と、内周縁部１３に囲繞された中央開口１５とを有する。脱臭具１０Ｂは、集合物１６と支持フレーム１７と通気性の包装シート１８とから形成されている。
【００５８】
包装シート１８は、複数のメッシュ（網目）を有して前面１１を形成する通気性のネット１８Ａ（網）と後面１２を形成して微細な不純物の捕集するフィルタ１８Ｂとから作られている。ネット１８Ａは、図１の脱臭具１０Ａのそれと同一である。フィルタ１８Ｂには、粗塵用フィルタ、中高性能フィルタ、ＨＥＰＡフィルタ、ＵＬＰＡフィルタのうちのいずれかが使用されている。フィルタ１８Ｂは、エレクトレット化されている。フィルタ１８Ｂをエレクトレット化する一例としては、エレクトレット処理装置を利用し、針状電極と電極との距離を２５ｍｍとし、印可電圧を２５ｋｖとするとともに、処理温度を８０℃としてエレクトレット処理を行う。なお、フィルタ１８Ｂがエレクトレット化されていなくてもよい。
【００５９】
ネット１８Ａとフィルタ１８Ｂとは、脱臭具１９Ｂの内周縁部１３（支持フレーム１７の内周枠２２）から径方向内方へ延びる部分が熱融着（ソニックシールやヒートシール）または縫製によって固着され、脱臭具１０Ｂの外周縁部１４（フレーム１７の外周枠２３）から径方向内方へ延びる部分が熱融着または縫製によって固着されている。ネット１８Ａやフィルタ１８Ｂは、集合物１６およびフレーム１７の全体を包被している。
【００６０】
集合物１６や支持フレーム１７は、図１の脱臭具１０Ａのそれらと同一である。集合物１６の目付や面速は、図１の脱臭具１０Ａのそれらと同一であり、目付や面速をその範囲にする理由は、図１の脱臭具１０Ａのそれと同一である。フレーム１７は、脱臭具１０Ｂの前面１１の側であって集合物１６とネット１８Ａとの間に配置されている。集合物１６がフレーム１７に支持された状態で、フレーム１７の全体と集合物１６の全体とがネット１８Ａとフィルタ１８Ｂとに包被されている。なお、フレーム１７が脱臭具１０Ｂの後面１２の側であって集合物１６とフィルタ１８Ｂとの間に配置されている場合がある。
【００６１】
脱臭具１０Ｂを扇風機２５に取り付ける手順は、脱臭具１０Ａを扇風機２５に取り付ける手順と同一である（図６援用）。脱臭具１０Ｂが扇風機２５に取り付けられた状態は、脱臭具１０Ａが扇風機２５に取り付けられた状態と同一である（図７，８援用）。脱臭具１０Ｂを扇風機２５に取り付けると、脱臭具１０Ｂが後ガード３３と羽根３１との間に位置し、脱臭具１０Ｂの外周縁部１４が羽根３１の径方向の寸法を二分する二分線４１の近傍に位置する（図７援用）。
【００６２】
後ガード３３の後方から扇風機２５に進入した空気は、フィルタ１８Ｂを通流し、脱臭具１０Ｂの後面１２から集合物１６の空気流路２０に進入し、集合物１６を通流した後、ネット１８Ａを通過して前ガード３２から扇風機２５の前方へ送風される。空気がフィルタ１８Ｂを通流するときに空気に含まれる微細な塵埃や花粉、ＰＭ２．５等の不純物がフィルタ１８Ｂに捕集される。空気に含まれる微細な不純物がフィルタ１８Ｂによって除去されるから、集合物１６（撚糸１９や紡績糸２１）に不純物が付着することはなく、集合物１６の脱臭機能が低下することはない。
【００６３】
集合物１６が支持フレーム１７やネット１８Ａ、フィルタ１８Ｂに支持されるから、脱臭具１０Ｂにおける集合物１６の偏りがなく、脱臭具１０Ｂの全域に集合物１６が満遍なく分布し、脱臭具１０Ｂに進入した空気が必然的に集合物１６を通流する。空気流路２０が径方向や厚み方向、周り方向へ不規則に曲折して延びているから、空気流路２０を通る空気が集合物１６を形成する撚糸１９や紡績糸２１に確実に接触する。微細な不純物が除去された空気は、径方向や厚み方向、周り方向へ不規則に曲折して延びる脱臭具１０Ｂの空気流路２０に進入して集合物１６の撚糸１９や紡績糸２１に接触し、空気に含まれる臭気成分やたばこ臭、ノネナール臭が活性炭素繊維化された撚糸１９や紡績糸２１（集合物１６）に吸着される。
【００６４】
図１１は、他の一例として示す扇風機用脱臭具１０Ｃの正面図であり、図１２は、図１１のＣ−Ｃ線矢視断面図である。図１１では、径方向を矢印Ｘで示し、周り方向を矢印Ｚで示す。なお、脱臭具１０Ｃの背面図は、図９と同一に表れる。この脱臭具１０Ｃが図１のそれと異なるところは、包装シート１８がフィルタ１８Ｂから作られている点にあり、その他の構成は図１の脱臭具１０Ａのそれらと同一であるから、図１と同一の符号を付すとともに図１の説明を援用することで、脱臭具１０Ｃにおけるその他の構成の詳細な説明は省略する。
【００６５】
扇風機用脱臭具１０Ｃは、図１のそれと同様に、扇風機２５の羽根３１と後ガード３３との間であってガード３３の直前（図６〜図８参照）に着脱可能に取り付けられ、扇風機２５を通過する空気に含まれる臭い（臭気成分、たばこ臭、ノネナール臭）の除去に好適に使用される。脱臭具１０Ｃは、所定面積を有する環状の前面１１および所定面積を有する環状の後面１２と、内周縁部１３および外周縁部１４と、内周縁部１３に囲繞された中央開口１５とを有する。脱臭具１０Ｃは、集合物１６と支持フレーム１７と通気性の包装シート１８とから形成されている。
【００６６】
包装シート１８は、前面１１と後面１２とを形成して微細な不純物の捕集するフィルタ１８Ｂから作られている。フィルタ１８Ｂは、図９の脱臭具１０Ｂのそれと同一であり、エレクトレット化されていることが好ましい。フィルタ１８Ｂは、脱臭具１０Ｃの内周縁部１３（支持フレーム１７の内周枠２２）から径方向内方へ延びる部分が熱融着（ソニックシールやヒートシール）または縫製によって固着され、脱臭具１０Ｃの外周縁部１４（フレーム１７の外周枠２３）から径方向内方へ延びる部分が熱融着または縫製によって固着されている。フィルタ１８Ｂは、集合物１６およびフレーム１７の全体を包被している。
【００６７】
集合物１６や支持フレーム１７は、図１の脱臭具１０Ａのそれらと同一である。集合物１６の目付や面速は、図１の脱臭具１０Ａのそれらと同一であり、目付や面速をその範囲にする理由は、図１の脱臭具１０Ａのそれと同一である。フレーム１７は、脱臭具１０Ｃの前面１１の側であって集合物１６とフィルタ１８Ｂとの間に配置されている。集合物１６がフレーム１７に支持された状態で、フレーム１７の全体と集合物１６の全体とがフィルタ１８Ｂに包被されている。なお、フレーム１７が脱臭具１０Ｃの後面１２の側であって集合物１６とフィルタ１８Ｂとの間に配置されている場合がある。
【００６８】
脱臭具１０Ｃを扇風機２５に取り付ける手順は、脱臭具１０Ａを扇風機２５に取り付ける手順と同一である（図６援用）。脱臭具１０Ｃが扇風機２５に取り付けられた状態は、脱臭具１０Ａが扇風機２５に取り付けられた状態と同一である（図７，８援用）。脱臭具１０Ｃを扇風機２５に取り付けると、脱臭具１０Ｃが後ガード３３と羽根３１との間に位置し、脱臭具１０Ｃの外周縁部１４が羽根３１の径方向の寸法を二分する二分線４１の近傍に位置する（図７援用）。
【００６９】
後ガード３３の後方から扇風機２５に進入した空気は、フィルタ１８Ｂを通流し、脱臭具１０Ｃの後面１２から集合物１６の空気流路２０に進入し、集合物１６を通流した後、フィルタ１８Ｂを通流して前ガード３２から扇風機２５の前方へ送風される。空気がフィルタ１８Ｂを通流するときに空気に含まれる微細な塵埃や花粉、ＰＭ２．５等の不純物がフィルタ１８Ｂに捕集される。空気に含まれる微細な不純物がフィルタ１８Ｂによって除去されるから、集合物１６（撚糸１９や紡績糸２１）に不純物が付着することはなく、集合物１６の脱臭機能が低下することはない。
【００７０】
集合物１６が支持フレーム１７やフィルタ１８Ｂに支持されるから、脱臭具１０Ｃにおける集合物１６の偏りがなく、脱臭具１０Ｃの全域に集合物１６が満遍なく分布し、脱臭具１０Ｃに進入した空気が必然的に集合物１６を通流する。空気流路２０が径方向や厚み方向、周り方向へ不規則に曲折して延びているから、空気流路２０を通る空気が集合物１６を形成する撚糸１９や紡績糸２１に確実に接触する。微細な不純物が除去された空気は、径方向や厚み方向、周り方向へ不規則に曲折して延びる脱臭具１０Ｃの空気流路２０に進入して集合物１６の撚糸１９や紡績糸２１に接触し、空気に含まれる臭気成分やたばこ臭、ノネナール臭が活性炭素繊維化された撚糸１９や紡績糸２１に吸着される。
【００７１】
図１３は、他の一例として示す扇風機用脱臭具１０Ｄの背面図であり、図１４は、図１３のＤ−Ｄ線矢視断面図である。図１３では、径方向を矢印Ｘで示し、周り方向を矢印Ｚで示す。なお、脱臭具１０Ｄの正面図は、図３と同一に表れる。この脱臭具１０Ｄが図１のそれと異なるところは、支持フレーム１７が第１支持フレーム１７Ａと第２支持フレーム１７Ｂとから形成されている点にあり、その他の構成は図１の脱臭具１０Ａのそれらと同一であるから、図１と同一の符号を付すとともに図１の説明を援用することで、脱臭具１０Ｄにおけるその他の構成の詳細な説明は省略する。
【００７２】
扇風機用脱臭具１０Ｄは、図１のそれと同様に、扇風機２５の羽根３１と後ガード３３との間であってガード３３の直前（図６〜図８参照）に着脱可能に取り付けられ、扇風機２５を通過する空気に含まれる臭い（臭気成分、たばこ臭、ノネナール臭）の除去に好適に使用される。脱臭具１０Ｄは、所定面積を有する環状の前面１１および所定面積を有する環状の後面１２と、内周縁部１３および外周縁部１４と、内周縁部１３に囲繞された中央開口１５とを有する。脱臭具１０Ｄは、集合物１６と第１支持フレーム１７Ａおよび第２支持フレーム１７Ｂとネット１８Ａ（包装シート１８）とから形成されている。
【００７３】
第１支持フレーム１７Ａは、プラスチック板や金属板から作られ、脱臭具１０Ｄの内周縁部１３に位置して周り方向へ環状に延びる内周枠２２と、脱臭具１０Ｄの外周縁部１４に位置して周り方向へ環状に延びる外周枠２３と、内周枠２２と外周枠２３とに繋がって径方向へ直状に延びる連結枠２４とを有する。フレーム１７Ａでは、内周枠２２と外周枠２３と連結枠２４とが一体成形されている。フレーム１７Ａは、脱臭具１０Ｄの前面１１の側であって集合物１６とネット１８Ａとの間に配置されている。
【００７４】
第２支持フレーム１７Ｂは、プラスチック板や金属板から作られ、脱臭具１０Ｄの内周縁部１３に位置して周り方向へ環状に延びる内周枠２２と、脱臭具１０Ｄの外周縁部１４に位置して周り方向へ環状に延びる外周枠２３と、内周枠２２と外周枠２３とに繋がって径方向へ直状に延びる連結枠２４とを有する。フレーム１７Ｂでは、内周枠２２と外周枠２３と連結枠２４とが一体成形されている。フレーム１７Ｂは、脱臭具１０Ｄの後面１２の側であって集合物１６とネット１８Ａとの間に配置されている。
【００７５】
集合物１６が第１支持フレーム１７Ａと第２支持フレーム１７Ｂとの間に画成されたスペース４２に収容され、それらプレート１７Ａ，１７Ｂに支持された状態で、それらフレーム１７Ａ，１７Ｂの全体と集合物１６の全体とがネット１８Ａに包被されている。ネット１８Ａは、図１の脱臭具１０Ａのそれと同一のものであり、集合物１６およびそれらフレーム１７Ａ，１７Ｂの全体を包被している。集合物１６は、図１の脱臭具１０Ａのそれと同一である。集合物１６の目付や面速は、図１の脱臭具１０Ａのそれらと同一であり、目付や面速をその範囲にする理由は、図１の脱臭具１０Ａのそれと同一である。
【００７６】
脱臭具１０Ｄを扇風機２５に取り付ける手順は、脱臭具１０Ａを扇風機２５に取り付ける手順と同一である（図６援用）。脱臭具１０Ｄが扇風機２５に取り付けられた状態は、脱臭具１０Ａが扇風機２５に取り付けられた状態と同一である（図７，８援用）。脱臭具１０Ｄを扇風機２５に取り付けると、脱臭具１０Ｄが後ガード３３と羽根３１との間に位置し、脱臭具１０Ｄの外周縁部１４が羽根３１の径方向の寸法を二分する二分線４１の近傍に位置する（図７援用）。後ガード３３の後方から扇風機２５に進入した空気は、ネット１８Ａを通過し、脱臭具１０Ｄの後面１２から集合物１６の空気流路２０に進入し、集合物１６を通流した後、ネット１８Ａを通過して前ガード３２から扇風機２５の前方へ送風される。
【００７７】
集合物１６がそれらフレーム１７Ａ，１７Ｂやネット１８Ａに支持されるから、脱臭具１０Ｄにおける集合物１６の偏りがなく、脱臭具１０Ｄの全域に集合物１６が満遍なく分布し、脱臭具１０Ｄに進入した空気が必然的に集合物１６を通流する。空気流路２０が径方向や厚み方向、周り方向へ不規則に曲折して延びているから、空気流路２０を通る空気が集合物１６を形成する撚糸１９や紡績糸２１に確実に接触する。扇風機２５に進入した空気は、径方向や厚み方向、周り方向へ不規則に曲折して延びる脱臭具１０Ｄの空気流路２０に進入して集合物１６の撚糸１９や紡績糸２１に接触し、空気に含まれる臭気成分やたばこ臭、ノネナール臭が活性炭素繊維化された撚糸１９や紡績糸２１に吸着される。
【００７８】
図１５は、他の一例として示す扇風機用脱臭具１０Ｅの背面図であり、図１６は、図１５のＥ−Ｅ線矢視断面図である。図１５では、径方向を矢印Ｘで示し、周り方向を矢印Ｚで示す。なお、脱臭具１０Ｅの正面図は、図１１と同一に表れる。この脱臭具１０Ｅが図１のそれと異なるところは、包装シート１８が前面１１を形成するネット１８Ａと後面１２を形成するフィルタ１８Ｂとから作られている点、支持フレーム１７が第１支持フレーム１７Ａと第２支持フレーム１７Ｂとから形成されている点にあり、その他の構成は図１の脱臭具１０Ａのそれらと同一であるから、図１と同一の符号を付すとともに図１の説明を援用することで、脱臭具１０Ｅにおけるその他の構成の詳細な説明は省略する。
【００７９】
扇風機用脱臭具１０Ｅは、図１のそれと同様に、扇風機２５の羽根３１と後ガード３３との間であってガード３３の直前（図６〜図８参照）に着脱可能に取り付けられ、扇風機２５を通過する空気に含まれる臭い（臭気成分、たばこ臭、ノネナール臭）の除去に好適に使用される。脱臭具１０Ｅは、所定面積を有する環状の前面１１および所定面積を有する環状の後面１２と、内周縁部１３および外周縁部１４と、内周縁部１３に囲繞された中央開口１５とを有する。脱臭具１０Ｂは、集合物１６と第１支持フレーム１７Ａおよび第２支持フレーム１７Ｂとネット１８Ａ（包装シート１８）およびフィルタ１８Ｂ（包装シート１８）とから形成されている。
【００８０】
第１および第２支持フレーム１７Ａ，１７Ｂは、図１３の脱臭具１０Ｄに使用されたそれと同一である。フレーム１７Ａは、脱臭具１０Ｅの前面１１の側であって集合物１６とネット１８Ａとの間に配置されている。フレーム１７Ｂは、脱臭具１０Ｅの後面１２の側であって集合物１６とフィルタ１８Ｂとの間に配置されている。集合物１６が第１支持フレーム１７Ａと第２支持フレーム１７Ｂとの間に画成されたスペース４２に収容され、それらプレート１７Ａ，１７Ｂに支持された状態で、それらフレーム１７Ａ，１７Ｂの全体と集合物１６の全体とがネット１８Ａとフィルタ１８Ｂとに包被されている。
【００８１】
ネット１８Ａは、図１の脱臭具１０Ａのそれと同一のものであり、フィルタ１８Ｂは、図９の脱臭具１０Ｂのそれと同一のものであり、集合物１６およびそれらフレーム１７Ａ，１７Ｂの全体を包被している。フィルタ１８Ｂは、エレクトレット化されていることが好ましい。集合物１６は、図１の脱臭具１０Ａのそれと同一である。集合物１６の目付や面速は、図１の脱臭具１０Ａのそれらと同一であり、目付や面速をその範囲にする理由は、図１の脱臭具１０Ａのそれと同一である。
【００８２】
脱臭具１０Ｅを扇風機２５に取り付ける手順は、脱臭具１０Ａを扇風機２５に取り付ける手順と同一である（図６援用）。脱臭具１０Ｅが扇風機２５に取り付けられた状態は、脱臭具１０Ａが扇風機２５に取り付けられた状態と同一である（図７，８援用）。脱臭具１０Ｅを扇風機２５に取り付けると、脱臭具１０Ｅが後ガード３３と羽根３１との間に位置し、脱臭具１０Ｅの外周縁部１４が羽根３１の径方向の寸法を二分する二分線４１の近傍に位置する（図７援用）。
【００８３】
後ガード３３の後方から扇風機２５に進入した空気は、フィルタ１８Ｂを通流し、脱臭具１０Ｅの後面１２から集合物１６の空気流路２０に進入し、集合物１６を通流した後、ネット１８Ａを通過して前ガード３２から扇風機２５の前方へ送風される。空気がフィルタ１８Ｂを通流するときに空気に含まれる微細な塵埃や花粉、ＰＭ２．５等の不純物がフィルタ１８Ｂに捕集される。空気に含まれる微細な不純物がフィルタ１８Ｂによって除去されるから、集合物１６（撚糸１９や紡績糸２１）に不純物が付着することはなく、集合物１６の脱臭機能が低下することはない。
【００８４】
集合物１６が支持フレーム１７やネット１８Ａ、フィルタ１８Ｂに支持されるから、脱臭具１０Ｅにおける集合物１６の偏りがなく、脱臭具１０Ｅの全域に集合物１６が満遍なく分布し、脱臭具１０Ｅに進入した空気が必然的に集合物１６を通流する。空気流路２０が径方向や厚み方向、周り方向へ不規則に曲折して延びているから、空気流路２０を通る空気が集合物１６を形成する撚糸１９や紡績糸２１に確実に接触する。微細な不純物が除去された空気は、径方向や厚み方向、周り方向へ不規則に曲折して延びる脱臭具１０Ｅの空気流路２０に進入して集合物１６の撚糸１９や紡績糸２１に接触し、空気に含まれる臭気成分やたばこ臭、ノネナール臭が活性炭素繊維化された撚糸１９や紡績糸２１に吸着される。
【００８５】
図１７は、他の一例として示す扇風機用脱臭具１０Ｆの断面図である。なお、脱臭具１０Ｆの正面図は、図１１と同一に表れ、脱臭具１０Ｆの背面図は、図１５と同一に表れる。この脱臭具１０Ｆが図１のそれと異なるところは、包装シート１８がフィルタ１８Ｂから作られている点、支持フレーム１７が第１支持フレーム１７Ａと第２支持フレーム１７Ｂとから形成されている点にあり、その他の構成は図１の脱臭具１０Ａのそれらと同一であるから、図１と同一の符号を付すとともに図１の説明を援用することで、脱臭具１０Ｆにおけるその他の構成の詳細な説明は省略する。
【００８６】
扇風機用脱臭具１０Ｆは、図１のそれと同様に、扇風機２５の羽根３１と後ガード３３との間であってガード３３の直前（図６〜図８参照）に着脱可能に取り付けられ、扇風機２５を通過する空気に含まれる臭い（臭気成分、たばこ臭、ノネナール臭）の除去に好適に使用される。脱臭具１０Ｆは、所定面積を有する環状の前面１１および所定面積を有する環状の後面１２と、内周縁部１３および外周縁部１４と、内周縁部１３に囲繞された中央開口１５とを有する。脱臭具１０Ｆは、集合物１６と第１支持フレーム１７Ａおよび第２支持フレーム１７Ｂとフィルタ１８Ｂ（包装シート１８）とから形成されている。
【００８７】
第１および第２支持フレーム１７Ａ，１７Ｂは、図１３の脱臭具１０Ｄのそれらと同一である。フレーム１７Ａは、脱臭具１０Ｅの前面１１の側であって集合物１６とフィルタ１８Ｂとの間に配置されている。フレーム１７Ｂは、脱臭具１０Ｆの後面１２の側であって集合物１６とフィルタ１８Ｂとの間に配置されている。集合物１６が第１支持フレーム１７Ａと第２支持フレーム１７Ｂとの間に画成されたスペース４２に収容され、それらプレート１７Ａ，１７Ｂに支持された状態で、それらフレーム１７Ａ，１７Ｂの全体と集合物１６の全体とがフィルタ１８Ｂに包被されている。
【００８８】
フィルタ１８Ｂは、図９の脱臭具１０Ｂのそれと同一であり、集合物１６およびそれらフレーム１７Ａ，１７Ｂの全体を包被している。フィルタ１８Ｂは、エレクトレット化されていることが好ましい。集合物１６は、図１の脱臭具１０Ａのそれと同一である。集合物１６の目付や面速は、図１の脱臭具１０Ａのそれらと同一であり、目付や面速をその範囲にする理由は、図１の脱臭具１０Ａのそれと同一である。
【００８９】
脱臭具１０Ｆを扇風機２５に取り付ける手順は、脱臭具１０Ａを扇風機２５に取り付ける手順と同一である（図６援用）。脱臭具１０Ｆが扇風機２５に取り付けられた状態は、脱臭具１０Ａが扇風機２５に取り付けられた状態と同一である（図７，８援用）。脱臭具１０Ｆを扇風機２５に取り付けると、脱臭具１０Ｆが後ガード３３と羽根３１との間に位置し、脱臭具１０Ｆの外周縁部１４が羽根３１の径方向の寸法を二分する二分線４１の近傍に位置する（図７援用）。
【００９０】
後ガード３３の後方から扇風機２５に進入した空気は、フィルタ１８Ｂを通流し、脱臭具１０Ｆの後面１２から集合物１６の空気流路２０に進入し、集合物１６を通流した後、フィルタ１８Ｂを通流して前ガード３２から扇風機２５の前方へ送風される。空気がフィルタ１８Ｂを通流するときに空気に含まれる微細な塵埃や花粉、ＰＭ２．５等の不純物がフィルタ１８Ｂに捕集される。空気に含まれる微細な不純物がフィルタ１８Ｂによって除去されるから、集合物１６（撚糸１９や紡績糸２１）に不純物が付着することはなく、集合物１６の脱臭機能が低下することはない。
【００９１】
集合物１６が支持フレーム１７やネット１８Ａ、フィルタ１８Ｂに支持されるから、脱臭具１０Ｆにおける集合物１６の偏りがなく、脱臭具１０Ｆの全域に集合物１６が満遍なく分布し、脱臭具１０Ｆに進入した空気が必然的に集合物１６を通流する。空気流路２０が径方向や厚み方向、周り方向へ不規則に曲折して延びているから、空気流路２０を通る空気が集合物１６を形成する撚糸１９や紡績糸２１に確実に接触する。微細な不純物が除去された空気は、径方向や厚み方向、周り方向へ不規則に曲折して延びる脱臭具１０Ｆの空気流路２０に進入して集合物１６の撚糸１９や紡績糸２１に接触し、空気に含まれる臭気成分やたばこ臭、ノネナール臭が活性炭素繊維化された撚糸１９や紡績糸２１に吸着される。
【００９２】
扇風機用脱臭具１０Ａ〜１０Ｆおよび脱臭具１０Ａ〜１０Ｆを設置した扇風機２５は、脱臭具１０Ａ〜１０Ｆが活性炭素繊維化されて空気に含まれる臭いを吸着する複数本の撚糸１９を密集させた集合物１６または活性炭素繊維化されて空気に含まれる臭いを吸着する複数本の紡績糸２１を密集させた集合物１６を含むから、扇風機２５に進入した空気が集合物１６の繊維間隙（空気流路２０）を通流するときに、空気に含まれる臭気成分やたばこ臭、ノネナール臭を集合物１５に吸着させることができ、扇風機２５によって空気に含まれる臭気成分やたばこ臭、ノネナール臭を取り除くことができる。
【００９３】
扇風機用脱臭具１０Ａ〜１０Ｆおよび脱臭具１０Ａ〜１０Ｆを設置した扇風機２５は、空気に含まれる臭気成分やたばこ臭、ノネナール臭が集合物によって除去されるから、それら臭いを除去した清浄な空気を作ることができ、扇風機２５による送風と同時に無臭かつ清浄な空気を扇風機２５から送気することができる。脱臭具１０Ａ〜１０Ｆおよび脱臭具１０Ａ〜１０Ｆを設置した扇風機２５は、後ガード３３から扇風機２５の羽根３１に進入する空気の流速が遅く、羽根３１と後ガード３３との間に取り付けられた脱臭具１０Ａ〜１０Ｆの集合物１６を空気がゆっくりと通流するから、脱臭具１０Ａ〜１０Ｆを羽根３１と前ガード３２との間に設置する場合と比較し、集合物１６に対する空気の接触時間を長くすることができ、空気に含まれる臭いを集合物１６に確実に吸着させることができる。
【００９４】
扇風機用脱臭具１０Ａ〜１０Ｆおよび脱臭具１０Ａ〜１０Ｆを設置した扇風機２５は、扇風機１５の稼働中に室内の空気が脱臭具１０Ａ〜１０Ｆの集合物１６を通流した後、再び扇風機２５に進入して集合物１６を通流し、空気が集合物１６を繰り返し通流（循環）するから、室内の空気が脱臭具１０Ａ〜１０Ｆによって次第に浄化され、扇風機２５を長時間稼働させることでその脱臭機能を十分に発揮させることができ、室内の空気に含まれる臭気を確実に取り除くことができる。
【００９５】
図１８は、他の一例として示す扇風機用脱臭具１０Ｇの部分破断斜視図であり、図１９は、脱臭具１０Ｇを形成する繊維不織布４３Ａ，４３Ｂの正面図である。図２０は、図１８のＦ−Ｆ線矢視断面図である。なお、脱臭具１０Ｇの正面図は、図３と同一に表れ、脱臭具１０Ｇの背面図は、図４と同一に表れる。図１８では、径方向を矢印Ｘ、厚み方向を矢印Ｙで示し、周り方向を矢印Ｚで示す。この脱臭具１０Ｇが図１のそれと異なるところは、集合物１６に替えて活性炭素繊維化された通気性繊維不織布４３Ａ，４３Ｂが使用されている点にあり、その他の構成は図１の脱臭具１０Ａのそれらと同一であるから、図１と同一の符号を付すとともに図１の説明を援用することで、脱臭具１０Ｇにおけるその他の構成の詳細な説明は省略する。
【００９６】
扇風機用脱臭具１０Ｇは、図１のそれと同様に、扇風機２５の羽根３１と後ガード３３との間であってガード３３の直前（図６〜図８参照）に着脱可能に取り付けられ、扇風機２５を通過する空気に含まれる臭い（臭気成分、たばこ臭、ノネナール臭）の除去に好適に使用される。脱臭具１０Ｇは、所定面積を有する環状の前面１１および所定面積を有する環状の後面１２と、内周縁部１３および外周縁部１４と、内周縁部１３に囲繞された円形の中央開口１５とを有する。脱臭具１０Ｇは、活性炭素繊維化された通気性繊維不織布４３Ａ，４３Ｂと支持フレーム１７とネット１８Ａ（包装シート１８）とから形成されている。脱臭具１０Ｇでは、２枚の繊維不織布４３Ａ，４３Ｂが厚み方向へ重なり合っているが、不織布の枚数に特に限定はなく、脱臭具１０Ｇを形成する不織布が１枚または３枚以上であってもよい。
【００９７】
繊維不織布４３Ａ，４３Ｂは、内周縁部および外周縁部と、中央開口１５と略同大の円形の開口とを有する。不織布４３Ａ，４３Ｂは、既存の不織布製造方法によって前駆体不織布を製造し、その前駆体不織布を炭化・賦活することで作られている。不織布４３Ａ，４３Ｂは、それが活性炭素繊維化されていることで空気に含まれる臭気成分やたばこ臭、ノネナール臭を効率よく吸着する。それら不織布４３Ａ，４３Ｂには、複数の微細な繊維間隙が形成され、それら繊維間隙によって径方向や厚み方向、周り方向へ不規則に曲折して延びる複数の微細な通気孔が作られている。
【００９８】
繊維不織布４３Ａ，４３Ｂは、その１枚の目付が１００〜１５０ｇ／ｍ２の範囲、好ましくは１２０〜１４０ｇ／ｍ２の範囲、その１枚の厚みが１〜５ｍｍの範囲にあり、その１枚の面速が１０〜３０ｃｍ／ｓｅｃの範囲、好ましくは２０〜３０ｃｍ／ｓｅｃの範囲にある。不織布４３Ａ，４３Ｂの目付が１５０ｇ／ｍ２を超過するとともに厚みが５ｍｍを超過し、面速が１０ｃｍ／ｓｅｃ未満では、空気が不織布４３Ａ，４３Ｂをスムーズに通流することができず、脱臭具１０Ｇが扇風機２５の羽根３１に進入する空気の抵抗になり、羽根３１に空気をスムーズに流入させることができない場合がある。集不織布４３Ａ，４３Ｂの目付が１００ｇ／ｍ２未満であるとともに厚みが１ｍｍ未満であり、面速が３０ｃｍ／ｓｅｃを超過すると、扇風機２５に進入した空気が不織布４３Ａ，４３Ｂを素早く通過し、空気を不織布４３に十分に接触させることができず、空気に含まれる臭気成分やたばこ臭、ノネナール臭を不織布４３Ａ，４３Ｂに十分に吸着させることができない。
【００９９】
支持フレーム１７やネット１８Ａは、図１の脱臭具１０Ａのそれらと同一である。ネット１８Ａは、繊維不織布４３Ａ，４３Ｂおよびフレーム１７の全体を包被している。フレーム１７は、脱臭具１０Ｇの前面１１の側であって繊維不織布４３Ａとネット１８Ａとの間に配置されている。繊維不織布４３Ａ，４３Ｂがフレーム１７に支持された状態で、フレーム１７の全体と繊維不織布４３Ａ，４３Ｂの全体とがネット１８Ａに包被されている。なお、フレーム１７が脱臭具１０Ｇの後面１２の側であって繊維不織布４３Ｂとネット１８Ａとの間に配置されている場合がある。
【０１００】
脱臭具１０Ｇを扇風機２５に取り付ける手順は、脱臭具１０Ａを扇風機２５に取り付ける手順と同一である（図６援用）。脱臭具１０Ｇが扇風機２５に取り付けられた状態は、脱臭具１０Ａが扇風機２５に取り付けられた状態と同一である（図７，８援用）。脱臭具１０Ｇを扇風機２５に取り付けると、脱臭具１０Ｇが後ガード３３と羽根３１との間に位置し、脱臭具１０Ｇの外周縁部１４が羽根３１の径方向の寸法を二分する二分線４１の近傍に位置する（図７援用）。
【０１０１】
後ガード３３の後方から扇風機２５に進入した空気は、ネット１８Ａを通過し、脱臭具１０Ｇの後面１２から繊維不織布４３Ａ，４３Ｂに進入し、不織布４３Ａ，４３Ｂを通流した後、ネット１８Ａを通過して前ガード３２から扇風機２５の前方へ送風される。不織布４３Ａ，４３Ｂが支持フレーム１７やネット１８Ａに支持されるから、不織布４３Ａ，４３Ｂの捩れや折れ曲がりが発生することはなく、不織布４３Ａ，４３Ｂが脱臭具１０Ｇの全域に満遍なく展開され、脱臭具１０Ｇに進入した空気が必然的に不織布４３Ａ，４３Ｂを通流する。径方向や厚み方向、周り方向へ不規則に曲折して延びる複数の微細な通気孔を通る空気が不織布４３Ａ，４３Ｂに確実に接触し、空気に含まれる臭気成分やたばこ臭、ノネナール臭が活性炭素繊維化された不織布４３Ａ，４３Ｂに吸着される。
【０１０２】
図２１は、他の一例として示す扇風機用脱臭具１０Ｈの断面図である。なお、脱臭具１０Ｈの正面図は、図３と同一に表れ、脱臭具１０Ｈの背面図は、図９と同一に表れる。この脱臭具１０Ｈが図１のそれと異なるところは、集合物１６に替えて活性炭素繊維化された通気性繊維不織布４３Ａ，４３Ｂが使用されている点、包装シート１８が前面１１を形成するネット１８Ａと後面１２を形成するフィルタ１８Ｂとから作られている点にあり、その他の構成は図１の脱臭具１０Ａのそれらと同一であるから、図１と同一の符号を付すとともに図１の説明を援用することで、脱臭具１０Ｈにおけるその他の構成の詳細な説明は省略する。
【０１０３】
扇風機用脱臭具１０Ｈは、図１のそれと同様に、扇風機２５の羽根３１と後ガード３３との間であってガード３３の直前（図６〜図８参照）に着脱可能に取り付けられ、扇風機２５を通過する空気に含まれる臭い（臭気成分、たばこ臭、ノネナール臭）の除去に好適に使用される。脱臭具１０Ｈは、所定面積を有する環状の前面１１および所定面積を有する環状の後面１２と、内周縁部１３および外周縁部１４と、内周縁部１３に囲繞された中央開口１５とを有する。脱臭具１０Ｉは、活性炭素繊維化された通気性繊維不織布４３Ａ，４３Ｂと支持フレーム１７とネット１８Ａ（包装シート１８）およびフィルタ１８Ｂ（包装シート１８）とから形成されている。
【０１０４】
繊維不織布４３Ａ，４３Ｂは、図１８の脱臭具１０Ｇのそれと同一である。不織布４３Ａ，４３Ｂの目付や厚み、面速は、図１８の脱臭具１０Ｇのそれらと同一であり、目付や厚み、面速をその範囲にする理由は、図１８の脱臭具１０Ｇのそれと同一である。支持フレーム１７やネット１８Ａは、図１の脱臭具１０Ａのそれらと同一である。フィルタ１８Ｂは、図９の脱臭具１０Ｂのそれと同一である。フィルタ１８Ｂは、エレクトレット化されていることが好ましい。ネット１８Ａやフィルタ１８Ｂは、繊維不織布４３Ａ，４３Ｂおよびフレーム１７の全体を包被している。フレーム１７は、脱臭具１０Ｇの前面１１の側であって不織布４３Ａとネット１８Ａとの間に配置されている。不織布４３Ａ，４３Ｂがフレーム１７に支持された状態で、フレーム１７の全体と不織布４３Ａ，４３Ｂの全体とがネット１８Ａとフィルタ１８Ｂとに包被されている。なお、フレーム１７が脱臭具１０Ｈの後面１２の側であって不織布４３Ｂとフィルタ１８Ｂとの間に配置されている場合がある。
【０１０５】
脱臭具１０Ｈを扇風機２５に取り付ける手順は、脱臭具１０Ａを扇風機２５に取り付ける手順と同一である（図６援用）。脱臭具１０Ｈが扇風機２５に取り付けられた状態は、脱臭具１０Ａが扇風機２５に取り付けられた状態と同一である（図７，８援用）。脱臭具１０Ｈを扇風機２５に取り付けると、脱臭具１０Ｈが後ガード３３と羽根３１との間に位置し、脱臭具１０Ｈの外周縁部１４が羽根３１の径方向の寸法を二分する二分線４１の近傍に位置する（図７援用）。
【０１０６】
後ガード３３の後方から扇風機２５に進入した空気は、フィルタ１８Ｂを通流し、脱臭具１０Ｈの後面１２から繊維不織布４３Ａ，４３Ｂに進入し、不織布４３Ａ，４３Ｂを通流した後、ネット１８Ａを通過して前ガード３２から扇風機２５の前方へ送風される。空気がフィルタ１８Ｂを通流するときに空気に含まれる微細な塵埃や花粉、ＰＭ２．５等の不純物がフィルタ１８Ｂに捕集される。空気に含まれる微細な不純物がフィルタ１８Ｂによって除去されるから、不織布４３Ａ，４３Ｂに不純物が付着することはなく、繊織布４３Ａ，４３Ｂの脱臭機能が低下することはない。
【０１０７】
繊維不織布４３Ａ，４３Ｂが支持フレーム１７やネット１８Ａに支持されるから、不織布４３Ａ，４３Ｂの捩れや折れ曲がりが発生することはなく、不織布４３Ａ，４３Ｂが脱臭具１０Ｈの全域に満遍なく展開され、脱臭具１０Ｈに進入した空気が必然的に不織布４３Ａ，４３Ｂを通流する。径方向や厚み方向、周り方向へ不規則に曲折して延びる複数の微細な通気孔を通る空気が不織布４３Ａ，４３Ｂに確実に接触し、空気に含まれる臭気成分やたばこ臭、ノネナール臭が活性炭素繊維化された不織布４３Ａ，４３Ｂに吸着される。
【０１０８】
図２２は、他の一例として示す扇風機用脱臭具１０Ｉの断面図である。なお、脱臭具１０Ｉの正面図は、図１１と同一に表れ、脱臭具１０Ｉの背面図は、図９と同一に表れる。この脱臭具１０Ｉが図１のそれと異なるところは、集合物１６に替えて活性炭素繊維化された通気性繊維不織布４３Ａ，４３Ｂが使用されている点、包装シート１８が前面１１および後面１２を形成するフィルタ１８Ｂから作られている点にあり、その他の構成は図１の脱臭具１０Ａのそれらと同一であるから、図１と同一の符号を付すとともに図１の説明を援用することで、脱臭具１０Ｉにおけるその他の構成の詳細な説明は省略する。
【０１０９】
扇風機用脱臭具１０Ｉは、図１のそれと同様に、扇風機２５の羽根３１と後ガード３３との間であってガード３３の直前（図６〜図８参照）に着脱可能に取り付けられ、扇風機２５を通過する空気に含まれる臭い（臭気成分、たばこ臭、ノネナール臭）の除去に好適に使用される。脱臭具１０Ｉは、所定面積を有する環状の前面１１および所定面積を有する環状の後面１２と、内周縁部１３および外周縁部１４と、内周縁部１３に囲繞された中央開口１５とを有する。脱臭具１０Ｉは、活性炭素繊維化された通気性繊維不織布４３Ａ，４３Ｂと支持フレーム１７とフィルタ１８Ｂ（包装シート１８）とから形成されている。
【０１１０】
繊維不織布４３Ａ，４３Ｂは、図１８の脱臭具１０Ｇのそれと同一である。不織布４３Ａ，４３Ｂの目付や厚み、面速は、図１８の脱臭具１０Ｇのそれらと同一であり、目付や厚み、面速をその範囲にする理由は、図１８の脱臭具１０Ｇのそれと同一である。支持フレーム１７は、図１の脱臭具１０Ａのそれと同一であり、フィルタ１８Ｂは、図９の脱臭具１０Ｂのそれと同一である。フィルタ１８Ｂは、繊維不織布４３Ａ，４３Ｂおよびフレーム１７の全体を包被している。フレーム１７は、脱臭具１０Ｉの前面１１の側であって不織布４３Ａとフィルタ１８Ｂとの間に配置されている。不織布４３Ａ，４３Ｂがフレーム１７に支持された状態で、フレーム１７の全体と不織布４３Ａ，４３Ｂの全体とがフィルタ１８Ｂに包被されている。なお、フレーム１７が脱臭具１０Ｈの後面１２の側であって不織布４３Ｂとフィルタ１８Ｂとの間に配置されている場合がある。
【０１１１】
脱臭具１０Ｉを扇風機２５に取り付ける手順は、脱臭具１０Ａを扇風機２５に取り付ける手順と同一である（図６援用）。脱臭具１０Ｉが扇風機２５に取り付けられた状態は、脱臭具１０Ａが扇風機２５に取り付けられた状態と同一である（図７，８援用）。脱臭具１０Ｉを扇風機２５に取り付けると、脱臭具１０Ｉが後ガード３３と羽根３１との間に位置し、脱臭具１０Ｉの外周縁部１４が羽根３１の径方向の寸法を二分する二分線４１の近傍に位置する（図７援用）。
【０１１２】
後ガード３３の後方から扇風機２５に進入した空気は、フィルタ１８Ｂを通流し、脱臭具１０Ｉの後面１２から繊維不織布４３Ａ，４３Ｂに進入し、不織布４３Ａ，４３Ｂを通流した後、フィルタ１８Ｂを通流して前ガード３２から扇風機２５の前方へ送風される。空気がフィルタ１８Ｂを通流するときに空気に含まれる微細な塵埃や花粉、ＰＭ２．５等の不純物がフィルタ１８Ｂに捕集される。空気に含まれる微細な不純物がフィルタ１８Ｂによって除去されるから、不織布４３Ａ，４３Ｂに不純物が付着することはなく、繊織布４３Ａ，４３Ｂの脱臭機能が低下することはない。
【０１１３】
繊維不織布４３Ａ，４３Ｂが支持フレーム１７やネット１８Ａに支持されるから、不織布４３Ａ，４３Ｂの捩れや折れ曲がりが発生することはなく、不織布４３Ａ，４３Ｂが脱臭具１０Ｉの全域に満遍なく展開され、脱臭具１０Ｉに進入した空気が必然的に不織布４３Ａ，４３Ｂを通流する。径方向や厚み方向、周り方向へ不規則に曲折して延びる複数の微細な通気孔を通る空気が不織布４３Ａ，４３Ｂに確実に接触し、空気に含まれる臭気成分やたばこ臭、ノネナール臭が活性炭素繊維化された不織布４３Ａ，４３Ｂに吸着される。
【０１１４】
図２３は、他の一例として示す扇風機用脱臭具１０Ｊの断面図である。なお、脱臭具１０Ｊの正面図は、図３と同一に表れ、脱臭具１０Ｊの背面図は、図１３と同一に表れる。この脱臭具１０Ｊが図１のそれと異なるところは、集合物１６に替えて活性炭素繊維化された通気性繊維不織布４３Ａ，４３Ｂが使用されている点、支持フレーム１７が第１支持フレーム１７Ａと第２支持フレーム１７Ｂとから形成されている点にあり、その他の構成は図１の脱臭具１０Ａのそれらと同一であるから、図１と同一の符号を付すとともに図１の説明を援用することで、脱臭具１０Ｊにおけるその他の構成の詳細な説明は省略する。
【０１１５】
扇風機用脱臭具１０Ｊは、図１のそれと同様に、扇風機２５の羽根３１と後ガード３３との間であってガード３３の直前（図６〜図８参照）に着脱可能に取り付けられ、扇風機２５を通過する空気に含まれる臭い（臭気成分、たばこ臭、ノネナール臭）の除去に好適に使用される。脱臭具１０Ｊは、所定面積を有する環状の前面１１および所定面積を有する環状の後面１２と、内周縁部１３および外周縁部１４と、内周縁部１３に囲繞された中央開口１５とを有する。脱臭具１０Ｊは、活性炭素繊維化された通気性繊維不織布４３Ａ，４３Ｂと第１支持フレーム１７Ａおよび第２支持フレーム１７Ｂとネット１８Ａ（包装シート１８）とから形成されている。
【０１１６】
繊維不織布４３Ａ，４３Ｂは、図１８の脱臭具１０Ｇのそれと同一である。不織布４３Ａ，４３Ｂの目付や厚み、面速は、図１８の脱臭具１０Ｇのそれらと同一であり、目付や厚み、面速をその範囲にする理由は、図１８の脱臭具１０Ｇのそれと同一である。第１および第２支持フレーム１７Ａ，１７Ｂは、図１３の脱臭具１０Ｄのそれらと同一である。ネット１８Ａは、図１の脱臭具１０Ａのそれと同一であり、繊維不織布４３Ａ，４３Ｂおよびフレーム１７Ａ，１７Ｂの全体を包被している。
【０１１７】
第１支持フレーム１７Ａは、脱臭具１０Ｊの前面１１の側であって不織布４３Ａとネット１８Ａとの間に配置されている。第２支持フレーム１７Ｂは、脱臭具１０Ｊの後面１２の側であって不織布４３Ｂとネット１８Ａとの間に配置されている。不織布４３Ａ，４３Ｂが第１支持フレーム１７Ａと第２支持フレーム１７Ｂとの間に画成されたスペース４２に収容され、不織布４３Ａ，４３Ｂがそれらプレート１７Ａ，１７Ｂに支持された状態で、フレーム１７の全体と不織布４３Ａ，４３Ｂの全体とがネット１８Ａに包被されている。
【０１１８】
脱臭具１０Ｊを扇風機２５に取り付ける手順は、脱臭具１０Ａを扇風機２５に取り付ける手順と同一である（図６援用）。脱臭具１０Ｊが扇風機２５に取り付けられた状態は、脱臭具１０Ａが扇風機２５に取り付けられた状態と同一である（図７，８援用）。脱臭具１０Ｊを扇風機２５に取り付けると、脱臭具１０Ｊが後ガード３３と羽根３１との間に位置し、脱臭具１０Ｊの外周縁部１４が羽根３１の径方向の寸法を二分する二分線４１の近傍に位置する（図７援用）。
【０１１９】
後ガード３３の後方から扇風機２５に進入した空気は、ネット１８Ａを通過し、脱臭具１０Ｊの後面１２から繊維不織布４３Ａ，４３Ｂに進入し、不織布４３Ａ，４３Ｂを通流した後、ネット１８Ａを通過して前ガード３２から扇風機２５の前方へ送風される。繊維不織布４３Ａ，４３Ｂが第１および第２支持フレーム１７Ａ，１７Ｂやネット１８Ａに支持されるから、不織布４３Ａ，４３Ｂの捩れや折れ曲がりが発生することはなく、不織布４３Ａ，４３Ｂが脱臭具１０Ｊの全域に満遍なく展開され、脱臭具１０Ｊに進入した空気が必然的に不織布４３Ａ，４３Ｂを通流する。径方向や厚み方向、周り方向へ不規則に曲折して延びる複数の微細な通気孔を通る空気が不織布４３Ａ，４３Ｂに確実に接触し、空気に含まれる臭気成分やたばこ臭、ノネナール臭が活性炭素繊維化された不織布４３Ａ，４３Ｂに吸着される。
【０１２０】
図２４は、他の一例として示す扇風機用脱臭具１０Ｋの断面図である。なお、脱臭具１０Ｋの正面図は、図３と同一に表れ、脱臭具１０Ｋの背面図は、図１１と同一に表れる。この脱臭具１０Ｋが図１のそれと異なるところは、集合物１６に替えて活性炭素繊維化された通気性繊維不織布４３Ａ，４３Ｂが使用されている点、包装シート１８が前面１１を形成するネット１８Ａと後面１２を形成するフィルタ１８Ｂとから作られている点、支持フレーム１７が第１支持フレーム１７Ａと第２支持フレーム１７Ｂとから形成されている点にあり、その他の構成は図１の脱臭具１０Ａのそれらと同一であるから、図１と同一の符号を付すとともに図１の説明を援用することで、脱臭具１０Ｋにおけるその他の構成の詳細な説明は省略する。
【０１２１】
扇風機用脱臭具１０Ｋは、図１のそれと同様に、扇風機２５の羽根３１と後ガード３３との間であってガード３３の直前（図６〜図８参照）に着脱可能に取り付けられ、扇風機２５を通過する空気に含まれる臭い（臭気成分、たばこ臭、ノネナール臭）の除去に好適に使用される。脱臭具１０Ｋは、所定面積を有する環状の前面１１および所定面積を有する環状の後面１２と、内周縁部１３および外周縁部１４と、内周縁部１３に囲繞された中央開口１５とを有する。脱臭具１０Ｋは、活性炭素繊維化された通気性繊維不織布４３Ａ，４３Ｂと第１支持フレーム１７Ａおよび第２支持フレーム１７Ｂとネット１８Ａ（包装シート１８）およびフィルタ１８Ｂ（包装シート１８）とから形成されている。
【０１２２】
繊維不織布４３Ａ，４３Ｂは、図１８の脱臭具１０Ｇのそれと同一である。不織布４３Ａ，４３Ｂの目付や厚み、面速は、図１８の脱臭具１０Ｇのそれらと同一であり、目付や厚み、面速をその範囲にする理由は、図１８の脱臭具１０Ｇのそれと同一である。第１および第２支持フレーム１７Ａ，１７Ｂは、図１３の脱臭具１０Ｄのそれらと同一である。ネット１８Ａは、図１の脱臭具１０Ａのそれと同一であり、フィルタ１８Ｂは、図９の脱臭具１０Ｂのそれと同一であり、繊維不織布４３Ａ，４３Ｂおよびフレーム１７Ａ，１７Ｂの全体を包被している。フィルタ１８Ｂは、エレクトレット化されていることが好ましい。
【０１２３】
第１支持フレーム１７Ａは、脱臭具１０Ｋの前面１１の側であって不織布４３Ａとネット１８Ａとの間に配置されている。第２支持フレーム１７Ｂは、脱臭具１０Ｋの後面１２の側であって不織布４３Ｂとフィルタ１８Ｂとの間に配置されている。不織布４３Ａ，４３Ｂが第１支持フレーム１７Ａと第２支持フレーム１７Ｂとの間に画成されたスペース４２に収容され、不織布４３Ａ，４３Ｂがそれらプレート１７Ａ，１７Ｂに支持された状態で、フレーム１７の全体と不織布４３Ａ，４３Ｂの全体とがネット１８Ａとフィルタ１８Ｂとに包被されている。
【０１２４】
脱臭具１０Ｋを扇風機２５に取り付ける手順は、脱臭具１０Ａを扇風機２５に取り付ける手順と同一である（図６援用）。脱臭具１０Ｋが扇風機２５に取り付けられた状態は、脱臭具１０Ａが扇風機２５に取り付けられた状態と同一である（図７，８援用）。脱臭具１０Ｋを扇風機２５に取り付けると、脱臭具１０Ｋが後ガード３３と羽根３１との間に位置し、脱臭具１０Ｋの外周縁部１４が羽根３１の径方向の寸法を二分する二分線４１の近傍に位置する（図７援用）。
【０１２５】
後ガード３３の後方から扇風機２５に進入した空気は、フィルタ１８Ｂを通流し、脱臭具１０Ｋの後面１２から繊維不織布４３Ａ，４３Ｂに進入し、不織布４３Ａ，４３Ｂを通流した後、ネット１８Ａを通過して前ガード３２から扇風機２５の前方へ送風される。空気がフィルタ１８Ｂを通流するときに空気に含まれる微細な塵埃や花粉、ＰＭ２．５等の不純物がフィルタ１８Ｂに捕集される。空気に含まれる微細な不純物がフィルタ１８Ｂによって除去されるから、不織布４３Ａ，４３Ｂに不純物が付着することはなく、繊織布４３Ａ，４３Ｂの脱臭機能が低下することはない。
【０１２６】
繊維不織布４３Ａ，４３Ｂが支持フレーム１７やネット１８Ａに支持されるから、不織布４３Ａ，４３Ｂの捩れや折れ曲がりが発生することはなく、不織布４３Ａ，４３Ｂが脱臭具１０Ｋの全域に満遍なく展開され、脱臭具１０Ｋに進入した空気が必然的に不織布４３Ａ，４３Ｂを通流する。径方向や厚み方向、周り方向へ不規則に曲折して延びる複数の微細な通気孔を通る空気が不織布４３Ａ，４３Ｂに確実に接触し、空気に含まれる臭気成分やたばこ臭、ノネナール臭が活性炭素繊維化された不織布４３Ａ，４３Ｂに吸着される。
【０１２７】
図２５は、他の一例として示す扇風機用脱臭具１０Ｌの断面図である。なお、脱臭具１０Ｌの正面図は、図１１と同一に表れ、脱臭具１０Ｌの背面図は、図１５と同一に表れる。この脱臭具１０Ｌが図１のそれと異なるところは、集合物１６に替えて活性炭素繊維化された通気性繊維不織布４３Ａ，４３Ｂが使用されている点、包装シート１８が前面１１を形成するネット１８Ａと後面１２を形成するフィルタ１８Ｂとから作られている点、支持フレーム１７が第１支持フレーム１７Ａと第２支持フレーム１７Ｂとから形成されている点にあり、その他の構成は図１の脱臭具１０Ａのそれらと同一であるから、図１と同一の符号を付すとともに図１の説明を援用することで、脱臭具１０Ｌにおけるその他の構成の詳細な説明は省略する。
【０１２８】
扇風機用脱臭具１０Ｌは、図１のそれと同様に、扇風機２５の羽根３１と後ガード３３との間であってガード３３の直前（図６〜図８参照）に着脱可能に取り付けられ、扇風機２５を通過する空気に含まれる臭い（臭気成分、たばこ臭、ノネナール臭）の除去に好適に使用される。脱臭具１０Ｌは、所定面積を有する環状の前面１１および所定面積を有する環状の後面１２と、内周縁部１３および外周縁部１４と、内周縁部１３に囲繞された中央開口１５とを有する。脱臭具１０Ｌは、活性炭素繊維化された通気性繊維不織布４３Ａ，４３Ｂと第１支持フレーム１７Ａおよび第２支持フレーム１７Ｂとフィルタ１８Ｂ（包装シート１８）とから形成されている。
【０１２９】
繊維不織布４３Ａ，４３Ｂは、図１８の脱臭具１０Ｇのそれと同一である。不織布４３Ａ，４３Ｂの目付や厚み、面速は、図１８の脱臭具１０Ｇのそれらと同一であり、目付や厚み、面速をその範囲にする理由は、図１８の脱臭具１０Ｇのそれと同一である。第１および第２支持フレーム１７Ａ，１７Ｂは、図１３の脱臭具１０Ｄのそれらと同一である。フィルタ１８Ｂは、図９の脱臭具１０Ｂのそれと同一であり、繊維不織布４３Ａ，４３Ｂおよびフレーム１７Ａ，１７Ｂの全体を包被している。フィルタ１８Ｂは、エレクトレット化されていることが好ましい。
【０１３０】
第１支持フレーム１７Ａは、脱臭具１０Ｌの前面１１の側であって不織布４３Ａとフィルタ１８Ｂとの間に配置されている。第２支持フレーム１７Ｂは、脱臭具１０Ｌの後面１２の側であって不織布４３Ｂとフィルタ１８Ｂとの間に配置されている。不織布４３Ａ，４３Ｂが第１支持フレーム１７Ａと第２支持フレーム１７Ｂとの間に画成されたスペース４２に収容され、不織布４３Ａ，４３Ｂがそれらプレート１７Ａ，１７Ｂに支持された状態で、フレーム１７の全体と不織布４３Ａ，４３Ｂの全体とがフィルタ１８Ｂに包被されている。
【０１３１】
脱臭具１０Ｌを扇風機２５に取り付ける手順は、脱臭具１０Ａを扇風機２５に取り付ける手順と同一である（図６援用）。脱臭具１０Ｌが扇風機２５に取り付けられた状態は、脱臭具１０Ａが扇風機２５に取り付けられた状態と同一である（図７，８援用）。脱臭具１０Ｌを扇風機２５に取り付けると、脱臭具１０Ｌが後ガード３３と羽根３１との間に位置し、脱臭具１０Ｌの外周縁部１４が羽根３１の径方向の寸法を二分する二分線４１の近傍に位置する（図７援用）。
【０１３２】
後ガード３３の後方から扇風機２５に進入した空気は、フィルタ１８Ｂを通流し、脱臭具１０Ｌの後面１２から繊維不織布４３Ａ，４３Ｂに進入し、不織布４３Ａ，４３Ｂを通流した後、フィルタ１８Ｂを通流して前ガード３２から扇風機２５の前方へ送風される。空気がフィルタ１８Ｂを通流するときに空気に含まれる微細な塵埃や花粉、ＰＭ２．５等の不純物がフィルタ１８Ｂに捕集される。空気に含まれる微細な不純物がフィルタ１８Ｂによって除去されるから、不織布４３Ａ，４３Ｂに不純物が付着することはなく、繊織布４３Ａ，４３Ｂの脱臭機能が低下することはない。
【０１３３】
繊維不織布４３Ａ，４３Ｂが支持フレーム１７やネット１８Ａに支持されるから、不織布４３Ａ，４３Ｂの捩れや折れ曲がりが発生することはなく、不織布４３Ａ，４３Ｂが脱臭具１０Ｌの全域に満遍なく展開され、脱臭具１０Ｌに進入した空気が必然的に不織布４３Ａ，４３Ｂを通流する。径方向や厚み方向、周り方向へ不規則に曲折して延びる複数の微細な通気孔を通る空気が不織布４３Ａ，４３Ｂに確実に接触し、空気に含まれる臭気成分やたばこ臭、ノネナール臭が活性炭素繊維化された不織布４３Ａ，４３Ｂに吸着される。
【０１３４】
扇風機用脱臭具１０Ｇ〜１０Ｌおよび脱臭具１０Ｇ〜１０Ｌを設置した扇風機２５は、脱臭具１０Ｇ〜１０Ｌが活性炭素繊維化されて空気に含まれる臭いを吸着する通気性繊維不織布４３Ａ，４３Ｂを含むから、扇風機２５に進入した空気が繊維不織布４３Ａ，４３Ｂの微細な通気孔を通流するときに、空気に含まれる臭気成分やたばこ臭、ノネナール臭を繊維不織布４３Ａ，４３Ｂに吸着させることができ、扇風機２５によって空気に含まれる臭気成分やたばこ臭、ノネナール臭を取り除くことができる。
【０１３５】
扇風機用脱臭具１０Ｇ〜１０Ｌおよび脱臭具１０Ｇ〜１０Ｌを設置した扇風機２５は、空気に含まれる臭気成分やたばこ臭、ノネナール臭が繊維不織布４３Ａ，４３Ｂによって除去されるから、それら臭いを除去した清浄な空気を作ることができ、扇風機２５による送風と同時に無臭かつ清浄な空気を扇風機２５から送気することができる。脱臭具１０Ｇ〜１０Ｌおよび脱臭具１０Ｇ〜１０Ｌを設置した扇風機２５は、後ガード３３から扇風機２５の羽根３１に進入する空気の流速が遅く、羽根３１と後ガード３３との間に取り付けられた脱臭具１０Ｇ〜１０Ｌの繊維不織布４３Ａ，４３Ｂを空気がゆっくりと通流するから、脱臭具１０Ｇ〜１０Ｌを羽根３１と前ガード３２との間に設置する場合と比較し、繊維不織布４３Ａ，４３Ｂに対する空気の接触時間を長くすることができ、空気に含まれる臭いを繊維不織布４３Ａ，４３Ｂに確実に吸着させることができる。
【０１３６】
扇風機用脱臭具１０Ｇ〜１０Ｌおよび脱臭具１０Ｇ〜１０Ｌを設置した扇風機２５は、扇風機２５の稼働中に室内の空気が脱臭具１０Ｇ〜１０Ｌの繊維不織布４３Ａ，４３Ｂを通流した後、再び扇風機２５に進入して繊維不織布４３Ａ，４３Ｂを通流し、空気が繊維不織布４３Ａ，４３Ｂを繰り返し通流（循環）するから、室内の空気が脱臭具１０Ｇ〜１０Ｌによって次第に浄化され、扇風機２５を長時間稼働させることでその脱臭機能を十分に発揮させることができ、室内の空気に含まれる臭気を確実に取り除くことができる。
【０１３７】
図２６は、扇風機用脱臭具１０Ａ〜１０Ｌの脱臭機能の測定手順を説明する図であり、図２７は、図２６から続く脱臭具１０Ａ〜１０Ｌの脱臭機能の測定手順を説明する図である。各脱臭具１０Ａ〜１０Ｌに対して臭気ガスの脱臭機能（臭気吸着機能）の測定を行った。なお、脱臭具１０Ａ〜１０Ｌは、脱臭具１０Ａ→脱臭具１０Ｂ→脱臭具１０Ｃ→脱臭具１０Ｄ→脱臭具１０Ｅ→脱臭具１０Ｆ→脱臭具１０Ｇ→脱臭具１０Ｈ→脱臭具１０Ｉ→脱臭具１０Ｊ→脱臭具１０Ｋ→脱臭具１０Ｌの順で脱臭機能を測定した（ガス検知管法）。
【０１３８】
測定に使用した測定ボックス５０は、透明なアクリルによって作られた６面体（立方体）であり、各辺の長さＬ１，Ｌ２，Ｌ３が１ｍであってその体積が１ｍ３である。第１測定として脱臭具１０Ａ〜１０Ｌを設置した扇風機２５を使用し、第２測定として脱臭具１０Ａ〜１０Ｌを設置していない扇風機２５を使用した。さらに、第３測定として扇風機２５を使用しない空測定を行った。
【０１３９】
ガス検知管法による第１測定では、各脱臭具１０Ａ〜１０Ｌを扇風機２５の羽根３１と後ガード３３との間に設置した後、各脱臭具１０Ａ〜１０Ｌを設置した扇風機２５と攪拌ファン（図示せず）とを図２６，２７に示す測定ボックス５０の内部に収容した。次に、攪拌ファンを稼働させ、設定したガス濃度となるように、測定ボックス５０の内部にガス検知管５１（株式会社ガステック製または光明理化学工業株式会社製）を使用して測定用臭気ガス（アンモニアガス、トリメチルアミンガス、メチルメルカプタンガス、硫化水素ガス、酢酸ガス、アセトアルデヒドガス）を注入した。脱臭具１０Ａ〜１０Ｌを設置した扇風機２５を稼働させ（風量：微風）、経過時間毎に測定ボックス５０の内部のガス濃度をガス検知管５１を使用して測定した。
【０１４０】
ガス検知管法による第２測定では、脱臭具１０Ａ〜１０Ｌを設置していない扇風機２５（扇風機２５のみ）と攪拌ファン（図示せず）とを測定ボックス５０の内部に収容した。次に、攪拌ファンを稼働させ、設定したガス濃度となるように、測定ボックス５０の内部にガス検知管５１を使用して測定用臭気ガス（アンモニアガス、トリメチルアミンガス、メチルメルカプタンガス、硫化水素ガス、酢酸ガス、アセトアルデヒドガス）を注入した。扇風機２５を稼働させ（風量：微風）、経過時間毎に測定ボックス５０の内部のガス濃度をガス検知管５１を使用して測定した。
【０１４１】
ガス検知管法による第３測定では、扇風機２５を測定ボックス５０の内部に収容せず、攪拌ファン（図示せず）のみを測定ボックス５０の内部に収容した。次に、攪拌ファンを稼働させ、設定したガス濃度となるように、測定ボックス５０の内部にガス検知管５１を使用して測定用臭気ガス（アンモニアガス、トリメチルアミンガス、メチルメルカプタンガス、硫化水素ガス、酢酸ガス、アセトアルデヒドガス）を注入した。経過時間毎に測定ボックス５０の内部のガス濃度をガス検知管５１を使用して測定した。
【０１４２】
図２８は、アンモニアに対する測定結果を示す図である。測定用のアンモニアガスには、アンモニア水（２８％、特級）（小宗化学薬品株式会社）から発生させたアンモニアガスを使用した。アンモニアに対する測定条件は、アンモニア（初期ガス濃度：約３０ppm）、温度条件（室温）、測定時間（０分、１０分、３０分、１時間、３時間、６時間、ただし、測定値が定量下限（１ppm）未満になった時点で終了）である。
【０１４３】
図２８に示すように、経過時間０分において第１〜第３測定ではアンモニアガスの濃度が３０ppmであったが、１時間経過後において第１測定ではアンモニアガスの濃度が１８ppmに低下し、３時間経過後において第１測定ではアンモニアガスの濃度が１５ppmに低下し、６時間経過後において第１測定ではアンモニアガスの濃度が１２ppmに低下した。第１測定では、６時間経過後にアンモニアガスの濃度が初期ガス濃度の約１／３に減少したのに比較し、第２および第３測定では、アンモニアガスの濃度の大きな低下は見られなかった。
【０１４４】
図２８から明らかなように、脱臭具１０Ａ〜１０Ｌを設置した扇風機２５では、アンモニアガスの濃度を確実に低減させることができ、アンモニア臭（し尿臭やたばこ臭）を有効に除去する効果があることが分かった。したがって、扇風機用脱臭具１０Ａ〜１０Ｌは、それらを扇風機２５に設置することで、空気に含まれるし尿臭やたばこ臭を確実に除去することができる。また、脱臭具１０Ａ〜１０Ｌを設置した扇風機２５は、それを所定時間稼働させることで、空気に含まれるし尿臭やたばこ臭を確実に除去することができる。
【０１４５】
図２９は、トリメチルアミンに対する測定結果を示す図である。測定用のトリメチルアミンガスには、トリメチルアミン水溶液（２８％）（東京化成工業株式会社）から発生させたトリメチルアミンガスを使用した。トリメチルアミンに対する測定条件は、トリメチルアミン（初期ガス濃度：約２０ppm）、温度条件（室温）、測定時間（０分、１０分、３０分、１時間、３時間、６時間、ただし、測定値が定量下限（１ppm）未満になった時点で終了）である。
【０１４６】
図２９に示すように、経過時間０分において、第１〜第３測定ではトリメチルアミンガスの濃度が２０ppmであったが、３０分経過後において第１測定ではトリメチルアミンガスの濃度が３ppmに低下し、１時間経過後において第１測定ではトリメチルアミンガスの濃度が２ppmに低下し、３時間経過後において第１測定ではトリメチルアミンガスの濃度が１ppmに低下した。第１測定では、３時間経過後にトリメチルアミンガスの濃度が初期ガス濃度の１／２０に減少したのに比較し、第２および第３測定では、トリメチルアミンガスの濃度の大きな低下は見られなかった。
【０１４７】
図２９から明らかなように、脱臭具１０Ａ〜１０Ｌを設置した扇風機２５では、トリメチルアミンガスの濃度を確実に低減させることができ、トリメチルアミンガス臭（魚の腐敗臭）を有効に除去する効果があることが分かった。したがって、扇風機用脱臭具１０Ａ〜１０Ｌは、それらを扇風機２５に設置することで、空気に含まれる魚の腐敗臭（生ゴミの腐敗臭）を確実に除去することができる。また、脱臭具１０Ａ〜１０Ｌを設置した扇風機２５は、それを所定時間稼働させることで、空気に含まれる魚の腐敗臭（生ゴミの腐敗臭）を確実に除去することができる。
【０１４８】
図３０は、メチルメルカプタンに対する測定結果を示す図である。測定用のメチルメルカプタンガスには、メチルメルカプタンナトリウム水溶液（１５％）（小宗化学薬品株式会社）から発生させたメチルメルカプタンガスを使用した。メチルメルカプタンに対する測定条件は、メチルメルカプタン（初期ガス濃度：約４．０ppm）、温度条件（室温）、測定時間（０分、１０分、３０分、１時間、３時間、６時間、ただし、測定値が定量下限（０．１ppm）未満になった時点で終了）である。
【０１４９】
図３０に示すように、経過時間０分において、第１〜第３測定ではメチルメルカプタンガスの濃度が４．０ppmであったが、１０分経過後において第１測定ではメチルメルカプタンガスの濃度が＜０．１ppmに低下した（測定値が定量下限未満になったので、測定をその時点で終了）。これに対し、第２および第３測定では、メチルメルカプタンガスの濃度の低下は見られなかった。
【０１５０】
図３０から明らかなように、脱臭具１０Ａ〜１０Ｌを設置した扇風機２５では、メチルメルカプタンガスの濃度を短時間に確実に低減させることができ、メチルメルカプタンガス臭（タマネギの腐敗臭）を有効に除去する効果があることが分かった。したがって、扇風機用脱臭具１０Ａ〜１０Ｌは、それらを扇風機２５に設置することで、空気に含まれるタマネギの腐敗臭（生ゴミの腐敗臭）を確実に除去することができる。また、脱臭具１０Ａ〜１０Ｌを設置した扇風機２５は、それを所定時間稼働させることで、空気に含まれるタマネギの腐敗臭（生ゴミの腐敗臭）を確実に除去することができる。
【０１５１】
図３１は、硫化水素に対する測定結果を示す図である。測定用の硫化水素ガスには、硫化鉄（ＩＩ）（硫化水素発生用）（小宗化学薬品株式会社）に稀釈酸を加えて発生させた硫化水素ガスを使用した。硫化水素に対する測定条件は、硫化水素（初期ガス濃度：約４．０ppm）、温度条件（室温）、測定時間（０分、１０分、３０分、１時間、３時間、６時間、ただし、測定値が定量下限（０．１ppm）未満になった時点で終了）である。
【０１５２】
図３１に示すように、経過時間０分において、第１〜第３測定では硫化水素ガスの濃度が４．０ppmであったが、１０分経過後において第１測定では硫化水素ガスの濃度が＜０．１ppmに低下した（測定値が定量下限未満になったので、測定をその時点で終了）。これに対し、第２および第３測定では、硫化水素ガスの濃度の低下は見られなかった。
【０１５３】
図３１から明らかなように、脱臭具１０Ａ〜１０Ｌを設置した扇風機２５では、硫化水素ガスの濃度を短時間に確実に低減させることができ、硫化水素ガス臭（卵の腐敗臭）を有効に除去する効果があることが分かった。したがって、扇風機用脱臭具１０Ａ〜１０Ｌは、それらを扇風機２５に設置することで、空気に含まれる卵の腐敗臭（生ゴミの腐敗臭）を確実に除去することができる。また、脱臭具１０Ａ〜１０Ｌを設置した扇風機２５は、それを所定時間稼働させることで、空気に含まれる卵の腐敗臭（生ゴミの腐敗臭）を確実に除去することができる。
【０１５４】
図３２は、酢酸に対する測定結果を示す図である。測定用の酢酸ガスには、酢酸（特級）（小宗化学薬品株式会社）から発生させた酢酸ガスを使用した。酢酸に対する測定条件は、酢酸（初期ガス濃度：約５０ppm）、温度条件（室温）、測定時間（０分、１０分、３０分、１時間、３時間、６時間、ただし、測定値が定量下限（１ppm）未満になった時点で終了）である。
【０１５５】
図３２に示すように、経過時間０分において、第１〜第３測定では硫化水素ガスの濃度が５０ppmであったが、１０分経過後において第１測定では硫化水素ガスの濃度が＜１ppmに低下した（測定値が定量下限未満になったので、測定をその時点で終了）。これに対し、第２および第３測定では、硫化水素ガスの濃度の低下は見られなかった。
【０１５６】
図３２から明らかなように、脱臭具１０Ａ〜１０Ｌを設置した扇風機２５では、酢酸ガスの濃度を短時間に確実に低減させることができ、酢酸ガス臭を有効に除去する効果があることが分かった。したがって、扇風機用脱臭具１０Ａ〜１０Ｌは、それらを扇風機２４に設置することで、空気に含まれる酢酸臭（生ゴミの腐敗臭）を確実に除去することができる。また、脱臭具１０Ａ〜１０Ｌを設置した扇風機２５は、それを所定時間稼働させることで、空気に含まれる酢酸臭（生ゴミの腐敗臭）を確実に除去することができる。
【０１５７】
図３３は、アセトアルデヒドに対する測定結果を示す図である。測定用のアセトアルデヒドガスには、アセトアルデヒド（一級）（和光純薬工業株式会社）から発生させたアセトアルデヒドガスを使用した。アセトアルデヒドに対する測定条件は、アセトアルデヒド（初期ガス濃度：約２０ppm）、温度条件（室温）、測定時間（０分、１０分、３０分、１時間、３時間、６時間、ただし、測定値が定量下限（１ppm）未満になった時点で終了）である。
【０１５８】
図３３に示すように、経過時間０分において第１〜第３測定ではアセトアルデヒドガスの濃度が２０ppmであったが、１時間経過後において第１測定ではアセトアルデヒドガスの濃度が９ppmに低下し、３時間経過後において第１測定ではアセトアルデヒドガスの濃度が８ppmに低下し、６時間経過後において第１測定ではアセトアルデヒドガスの濃度が６ppmに低下した。第１測定では、６時間経過後にアンモニアガスの濃度が初期ガス濃度の約１／３に減少したのに比較し、第２および第３測定では、アンモニアガスの濃度の変化は見られなかった。
【０１５９】
図３３から明らかなように、脱臭具１０Ａ〜１０Ｌを設置した扇風機２４では、アセトアルデヒドガスの濃度を確実に低減させることができ、アセトアルデヒド臭（刺激的な青ぐさい臭い）を有効に除去する効果があることが分かった。したがって、扇風機用脱臭具１０Ａ〜１０Ｌは、それらを扇風機２５に設置することで、空気に含まれるアセトアルデヒド臭を確実に除去することができる。また、脱臭具１０Ａ〜１０Ｌを設置した扇風機２５は、それを所定時間稼働させることで、空気に含まれるアセトアルデヒド臭を確実に除去することができる。
【符号の説明】
【０１６０】
１０Ａ  扇風機用脱臭フィルタ
１０Ｂ  扇風機用脱臭フィルタ
１０Ｃ  扇風機用脱臭フィルタ
１０Ｄ  扇風機用脱臭フィルタ
１０Ｅ  扇風機用脱臭フィルタ
１０Ｆ  扇風機用脱臭フィルタ
１０Ｇ  扇風機用脱臭フィルタ
１０Ｈ  扇風機用脱臭フィルタ
１０Ｉ  扇風機用脱臭フィルタ
１０Ｊ  扇風機用脱臭フィルタ
１０Ｋ  扇風機用脱臭フィルタ
１０Ｌ  扇風機用脱臭フィルタ
１１    前面
１２    後面
１３    内周縁部
１４    外周縁部
１５    中央開口
１６    集合物
１７    支持フレーム
１７Ａ  第１支持フレーム
１７Ｂ  第２支持フレーム
１８    包装シート
１８Ａ  ネット
１８Ｂ  フィルタ
１９    撚糸
２０    空気流路
２１    紡績糸
２２    内周枠
２３    外周枠
２４    連結枠
２５    扇風機
２９    モーターケース
３０    回転軸
３１    羽根
３２    前ガード
３３    後ガード
３５    スピンナー
３６    ガード締付ナット
３７    螺子パイプ
３８    内周部
４１    二分線
４２    スペース
４３Ａ  通気性繊維不織布
４３Ｂ  通気性繊維不織布
【図１】
2015128544.tif 000003
【図２】
2015128544.tif 000004
【図３】
2015128544.tif 000005
【図４】
2015128544.tif 000006
【図５】
2015128544.tif 000007
【図６】
2015128544.tif 000008
【図７】
2015128544.tif 000009
【図８】
2015128544.tif 000010
【図９】
2015128544.tif 000011
【図１０】
2015128544.tif 000012
【図１１】
2015128544.tif 000013
【図１２】
2015128544.tif 000014
【図１３】
2015128544.tif 000015
【図１４】
2015128544.tif 000016
【図１５】
2015128544.tif 000017
【図１６】
2015128544.tif 000018
【図１７】
2015128544.tif 000019
【図１８】
2015128544.tif 000020
【図１９】
2015128544.tif 000021
【図２０】
2015128544.tif 000022
【図２１】
2015128544.tif 000023
【図２２】
2015128544.tif 000024
【図２３】
2015128544.tif 000025
【図２４】
2015128544.tif 000026
【図２５】
2015128544.tif 000027
【図２６】
2015128544.tif 000028
【図２７】
2015128544.tif 000029
【図２８】
2015128544.tif 000030
【図２９】
2015128544.tif 000031
【図３０】
2015128544.tif 000032
【図３１】
2015128544.tif 000033
【図３２】
2015128544.tif 000034
【図３３】
2015128544.tif 000035